(57)【要約】      （修正有）【課題】基地局の構成キャリアの量が比較的大きいためにシグナリングオーバーヘッドが比較的大きいという問題を解決するために基地局、ユーザ端末、およびキャリアスケジューリング指示方法を提供する。【解決手段】キャリアスケジューリング指示方法は、端末によって、基地局からダウンリンク制御情報（DCI）を受信するステップと、端末によって、DCI内のキャリア割当指示フィールドを取得するステップであって、キャリア割当指示フィールドが、端末のためのすべての構成キャリア中のスケジュールされたキャリアの総数、および、現在のスケジュールされたキャリアの累積数Mを示すために使用され、現在のスケジュールされたキャリアが、最初の構成キャリアからM番目のスケジュールされたキャリアであり、Mが１より大きなもしくは等しい整数である、ステップと、を備える。【選択図】図５
2019169959.tif 000002
【特許請求の範囲】
【請求項１】
基地局であって、該基地局が、処理ユニットおよび送信ユニットを備え、
前記処理ユニットが、すべての構成キャリアのスケジューリングステータスに従って、現在のスケジューリングキャリアのキャリア割当指示CAIフィールドを生成するように構成され、前記CAIフィールドが、すべての前記構成キャリア中のスケジューリングキャリアの総量および前記現在のスケジューリングキャリアの累積指標値Mを示すために使用され、前記Mが、前記現在のスケジューリングキャリアが、最初の前記構成キャリアから前記現在のスケジューリングキャリアまででM番目のスケジューリングキャリアであることを示すか、または、前記CAIフィールドが、前記現在のスケジューリングキャリアの前のスケジューリングキャリアの番号および前記現在のスケジューリングキャリアの次のスケジューリングキャリアの番号を示すために使用され、
前記送信ユニットが、前記処理ユニットによって生成された前記CAIフィールドをダウンリンク制御情報DCIに持たせて、前記現在のスケジューリングキャリアを用いて前記DCIをユーザ端末UEに送信するように構成され、
前記Mが、1以上の整数である、基地局。
【請求項２】
前記CAIフィールドが、すべての前記構成キャリア中の前記スケジューリングキャリアの前記総量および前記現在のスケジューリングキャリアの前記累積指標値Mを示すために使用される場合、
前記処理ユニットは、前記スケジューリングキャリアの前記総量を取得し、前記Mを取得し、前記スケジューリングキャリアの前記総量および第1の予め設定されたマッピング関係に従って第1のコードを取得し、前記Mおよび第2の予め設定されたマッピング関係に従って第2のコードを取得し、前記第1のコードと前記第2のコードとを組み合わせて前記CAIフィールドを生成するように特に構成され、
前記第1のマッピング関係が、前記スケジューリングキャリアの前記総量に対応する前記第1のコードを示すために使用され、前記第2のマッピング関係が、前記Mに対応する前記第2のコードを示すために使用される、請求項1に記載の基地局。
【請求項３】
前記第1のコードが、
【数１】
2019169959.tif 000127
ビットを含み、前記第2のコードが、
【数２】
2019169959.tif 000128
ビットを含み、
前記Nが、すべての前記構成キャリアの総量であり、
【数３】
2019169959.tif 000129
が、log2Nを切り上げた後に得られる値を表す、請求項2に記載の基地局。
【請求項４】
前記処理ユニットが、前記スケジューリングキャリアの前記総量および前記第1の予め設定されたマッピング関係に従って前記第1のコードを取得し、前記Mおよび前記第2の予め設定されたマッピング関係に従って前記第2のコードを取得する前に、
【数４】
2019169959.tif 000130
が2より大きいかどうかを判定するようにさらに構成され、
前記処理ユニットが、
【数５】
2019169959.tif 000131
が2より大きくない場合に、前記スケジューリングキャリアの前記総量および前記第1のマッピング関係に従って前記第1のコードを取得し、前記Mおよび前記第2のマッピング関係に従って前記第2のコードを取得するように特に構成される、
請求項3に記載の基地局。
【請求項５】
前記処理ユニットが、
【数６】
2019169959.tif 000132
が2より大きい場合に、前記スケジューリングキャリアの前記総量および前記第1のマッピング関係に従って前記第1のコードを取得し、前記Mおよび第3の予め設定されたマッピング関係に従って第3のコードを取得し、前記第1のコードと前記第3のコードとを組み合わせて前記CAIフィールドを生成するようにさらに構成され、
前記第3のマッピング関係が、前記Mに対応する前記第3のコードを示すために使用され、前記第3のコードのビット量が、前記第2のコードのビット量よりも少ない、
請求項4に記載の基地局。
【請求項６】
前記CAIフィールドのビット量が、
【数７】
2019169959.tif 000133
であり、前記aが、2以上かつ
【数８】
2019169959.tif 000134
未満の整数である、請求項5に記載の基地局。
【請求項７】
前記CAIフィールドが、前記現在のスケジューリングキャリアの前記前のスケジューリングキャリアの番号および前記現在のスケジューリングキャリアの前記次のスケジューリングキャリアの番号を示すために使用される場合、
前記処理ユニットが、前記現在のスケジューリングキャリアの前記前のスケジューリングキャリアの番号および前記現在のスケジューリングキャリアの前記次のスケジューリングキャリアの番号を取得し、前記前のスケジューリングキャリアの番号、前記次のスケジューリングキャリアの番号、および第4の予め設定されたマッピング関係に従って前記CAIフィールドを生成するように特に構成される、請求項1に記載の基地局。
【請求項８】
前記第4のマッピング関係が、前記前のスケジューリングキャリアの番号に対応する第4のコードおよび前記次のスケジューリングキャリアの番号に対応する第5のコードを示すために使用され、
前記処理ユニットが、前記前のスケジューリングキャリアの番号および前記第4のマッピング関係に従って前記第4のコードを取得し、前記次のスケジューリングキャリアの番号および前記第4のマッピング関係に従って前記第5のコードを取得し、前記第4のコードと前記第5のコードとを組み合わせて前記CAIフィールドを生成するように特に構成される、請求項7に記載の基地局。
【請求項９】
前記第4のマッピング関係が、前記前のスケジューリングキャリアの番号および前記次のスケジューリングキャリアの番号に対してジョイントコーディングを実行した結果として取得される第6のコードを示すために使用され、前記第6のコードのビット量が、第4のコードのビット量と第5のコードのビット量との合計よりも少なく、
前記処理ユニットが、前記前のスケジューリングキャリアの番号、前記次のスケジューリングキャリアの番号、および前記第4のマッピング関係に従って前記第6のコードを取得し、前記第6のコードを前記CAIフィールドとして使用するように特に構成される、請求項7に記載の基地局。
【請求項１０】
前記CAIフィールドのビット量が、
【数９】
2019169959.tif 000135
であり、
【数１０】
2019169959.tif 000136
が、log2Nを切り上げた後に得られる値を表す、請求項8に記載の基地局。
【請求項１１】
ユーザ端末UEであって、前記UEが、受信ユニットおよび処理ユニットを備え、
前記受信ユニットが、少なくとも1つの現在のスケジューリングキャリアを用いて基地局によって送信された、キャリア割当指示CAIフィールドを運ぶダウンリンク制御情報DCIを受信するように構成され、前記CAIフィールドが、前記基地局によって構成されたすべての構成キャリア中のスケジューリングキャリアの総量および前記現在のスケジューリングキャリアの累積指標値Mを示すために使用され、前記Mが、前記現在のスケジューリングキャリアが、最初の前記構成キャリアから前記現在のスケジューリングキャリアまででM番目のスケジューリングキャリアであることを示すか、または、前記CAIフィールドが、前記現在のスケジューリングキャリアの前のスケジューリングキャリアの番号および前記現在のスケジューリングキャリアの次のスケジューリングキャリアの番号を示すために使用され、
前記処理ユニットが、前記受信ユニットによって受信された前記DCI内の前記CAIフィールドを取得して、すべての前記構成キャリアのスケジューリングステータスを学習するように構成される、ユーザ端末UE。
【請求項１２】
前記UEが、送信ユニットをさらに備え、
前記送信ユニットが、前記処理ユニットが前記DCI内の前記CAIフィールドを取得した後に、ハイブリッド自動再送要求HARQ情報を前記基地局に送信するように構成され、
前記HARQ情報が、すべての前記スケジューリングキャリアを用いて前記基地局によって送信されたデータを前記UEが正しく受信したかどうかをフィードバックするために使用され、前記HARQ情報のビット量が、すべての前記スケジューリングキャリアを用いて送信された前記データが正しく受信されたかどうかをフィードバックするために必要なビット量の合計に等しい、請求項11に記載のUE。
【請求項１３】
前記CAIフィールドが、前記基地局によって構成されたすべての前記構成キャリア中の前記スケジューリングキャリアの前記総量および前記現在のスケジューリングキャリアの前記累積指標値Mを示すために使用される場合、
前記CAIフィールドが、第1のコードおよび第2のコードを含み、前記第1のコードが、前記スケジューリングキャリアの前記総量および第1の予め設定されたマッピング関係に従って前記基地局によって取得されるコードであり、前記第1のマッピング関係が、前記スケジューリングキャリアの前記総量に対応する前記第1のコードを示すために使用され、前記第2のコードが、前記Mおよび第2の予め設定されたマッピング関係に従って前記基地局によって取得されるコードであり、前記第2のマッピング関係が、前記Mに対応する前記第2のコードを示すために使用されるか、または
前記CAIフィールドが、第1のコードおよび第3のコードを含み、前記第3のコードが、前記Mおよび第3の予め設定されたマッピング関係に従って前記基地局によって取得されるコードであり、前記第3のマッピング関係が、前記Mに対応する前記第3のコードを示すために使用され、前記第3のコードのビット量が、第2のコードのビット量よりも少ない、請求項11または12に記載のUE。
【請求項１４】
前記CAIフィールドが、前記現在のスケジューリングキャリアの前記前のスケジューリングキャリアの番号および前記現在のスケジューリングキャリアの前記次のスケジューリングキャリアの番号を示すために使用される場合、
前記CAIフィールドは、第4のコードおよび第5のコードを含み、前記第4のコードは、前記前のスケジューリングキャリアの番号および第4の予め設定されたマッピング関係に従って前記基地局によって取得されるコードであり、前記第5のコードは、前記次のスケジューリングキャリアの番号および前記第4のマッピング関係に従って前記基地局によって取得されるコードであり、前記第4のマッピング関係は、前記前のスケジューリングキャリアの番号に対応する前記第4のコードおよび前記次のスケジューリングキャリアの番号に対応する前記第5のコードを示すために使用されるか、または
前記CAIフィールドは、第6のコードであり、該第6のコードは、前記前のスケジューリングキャリアの番号、前記次のスケジューリングキャリアの番号、および第4の予め設定されたマッピング関係に従って前記基地局によって取得されるコードであり、前記第4のマッピング関係が、前記前のスケジューリングキャリアの番号および前記次のスケジューリングキャリアの番号に対してジョイントコーディングを実行した結果として取得される前記第6のコードを示すために使用される、請求項11または12に記載のUE。
【請求項１５】
前記処理ユニットが、前記CAIフィールドに従って、前記スケジューリングキャリアの前記総量および前記少なくとも1つの現在のスケジューリングキャリアの前記累積指標値Mを求めるようにさらに構成され、
前記送信ユニットが、前記処理ユニットによって求められた前記スケジューリングキャリアの前記総量および前記少なくとも1つの現在のスケジューリングキャリアの前記累積指標値Mに従って前記HARQ情報を前記基地局に送信するように特に構成される、
請求項13に記載のUE。
【請求項１６】
前記処理ユニットが、前記CAIフィールドに従って、前記少なくとも1つの現在のスケジューリングキャリアの前記前のスケジューリングキャリアの番号および前記少なくとも1つの現在のスケジューリングキャリアの前記次のスケジューリングキャリアの番号を求め、前記少なくとも1つの現在のスケジューリングキャリアの前記前のスケジューリングキャリアの番号および前記少なくとも1つの現在のスケジューリングキャリアの前記次のスケジューリングキャリアの番号に従って、前記スケジューリングキャリアの前記総量を求めるようにさらに構成され、
前記送信ユニットは、前記処理ユニットによって求められた前記スケジューリングキャリアの前記総量、前記少なくとも1つの現在のスケジューリングキャリアの前記前のスケジューリングキャリアの番号、および前記少なくとも1つの現在のスケジューリングキャリアの前記次のスケジューリングキャリアの番号に従って、前記HARQ情報を前記基地局に送信するように特に構成される、
請求項14に記載のUE。
【請求項１７】
前記CAIフィールドが、前記第1のコードおよび前記第2のコードを含む場合、
前記処理ユニットは、前記CAIフィールドに関して、前記第1のマッピング関係および前記第1のコードに従って前記スケジューリングキャリアの前記総量を取得し、前記第2のマッピング関係および前記第2のコードに従って前記Mを取得するように特に構成される、請求項15に記載のUE。
【請求項１８】
前記CAIフィールドが、前記第1のコードおよび前記第3のコードを含む場合、
前記処理ユニットが、前記CAIフィールドに関して、前記第1のマッピング関係および前記第1のコードに従って前記スケジューリングキャリアの前記総量を取得し、前記第3のマッピング関係および前記第3のコードに従って前記Mを取得するように特に構成される、請求項15に記載のUE。
【請求項１９】
前記CAIフィールドが、前記第4のコードおよび前記第5のコードを含む場合、
前記処理ユニットが、前記CAIフィールドに関して、前記第4のコードおよび前記第4のマッピング関係に従って前記前のスケジューリングキャリアの番号を取得し、前記第5のコードおよび前記第4のマッピング関係に従って前記次のスケジューリングキャリアの番号を取得するように特に構成される、請求項16に記載のUE。
【請求項２０】
前記CAIフィールドが、前記第6のコードである場合、
前記処理ユニットが、前記CAIフィールドに関して、前記第6のコードおよび前記第4のマッピング関係に従って前記前のスケジューリングキャリアの番号および前記次のスケジューリングキャリアの番号を取得するように特に構成される、請求項16に記載のUE。
【請求項２１】
キャリアスケジューリング指示方法であって、前記方法が、
基地局によって、該基地局によって構成されたすべての構成キャリアのスケジューリングステータスに従って現在のスケジューリングキャリアのキャリア割当指示CAIフィールドを生成するステップであって、前記CAIフィールドが、すべての前記構成キャリア中のスケジューリングキャリアの総量および前記現在のスケジューリングキャリアの累積指標値Mを示すために使用され、前記Mが、前記現在のスケジューリングキャリアが、最初の前記構成キャリアから前記現在のスケジューリングキャリアまででM番目のスケジューリングキャリアであることを示すか、または、前記CAIフィールドが、前記現在のスケジューリングキャリアの前のスケジューリングキャリアの番号および前記現在のスケジューリングキャリアの次のスケジューリングキャリアの番号を示すために使用される、ステップと、
前記基地局によって、前記処理ユニットによって生成された前記CAIフィールドをダウンリンク制御情報DCIに持たせて、前記現在のスケジューリングキャリアを用いて前記DCIをユーザ端末UEに送信するステップと
を含み、
前記Mが、1以上の整数である、キャリアスケジューリング指示方法。
【請求項２２】
前記CAIフィールドが、すべての前記構成キャリア中の前記スケジューリングキャリアの前記総量および前記現在のスケジューリングキャリアの前記累積指標値Mを示すために使用される場合、基地局によって、前記基地局によって構成されたすべての構成キャリアのスケジューリングステータスに従って、現在のスケジューリングキャリアのキャリア割当指示CAIフィールドを生成する前記ステップが、
前記基地局によって、前記スケジューリングキャリアの前記総量を取得し、前記Mを取得するステップと、
前記基地局によって、前記スケジューリングキャリアの前記総量および第1の予め設定されたマッピング関係に従って第1のコードを取得し、前記Mおよび第2の予め設定されたマッピング関係に従って第2のコードを取得するステップであって、前記第1のマッピング関係が、前記スケジューリングキャリアの前記総量に対応する前記第1のコードを示すために使用され、前記第2のマッピング関係が、前記Mに対応する前記第2のコードを示すために使用される、ステップと、
前記基地局によって、前記第1のコードと前記第2のコードとを組み合わせて前記CAIフィールドを生成するステップと
を含む、請求項21に記載の方法。
【請求項２３】
前記第1のコードが、
【数１１】
2019169959.tif 000137
ビットを含み、前記第2のコードが、
【数１２】
2019169959.tif 000138
ビットを含み、
前記Nが、すべての前記構成キャリアの総量であり、
【数１３】
2019169959.tif 000139
が、log2Nを切り上げた後に得られる値を表す、請求項22に記載の方法。
【請求項２４】
前記基地局によって、前記スケジューリングキャリアの前記総量および第1の予め設定されたマッピング関係に従って第1のコードを取得し、前記Mおよび第2の予め設定されたマッピング関係に従って第2のコードを取得する前記ステップの前に、前記方法が、
前記基地局によって、
【数１４】
2019169959.tif 000140
が2より大きいかどうかを判定するステップをさらに含み、
前記基地局によって、前記スケジューリングキャリアの前記総量および第1の予め設定されたマッピング関係に従って第1のコードを取得し、前記Mおよび第2の予め設定されたマッピング関係に従って第2のコードを取得する前記ステップが、
【数１５】
2019169959.tif 000141
が2より大きくない場合に、前記基地局によって、前記スケジューリングキャリアの前記総量および前記第1の予め設定されたマッピング関係に従って前記第1のコードを取得し、前記Mおよび前記第2の予め設定されたマッピング関係に従って前記第2のコードを取得するステップを含む、請求項23に記載の方法。
【請求項２５】
前記方法が、
【数１６】
2019169959.tif 000142
が2より大きい場合に、前記基地局によって、前記スケジューリングキャリアの前記総量および前記第1のマッピング関係に従って前記第1のコードを取得し、前記Mおよび第3の予め設定されたマッピング関係に従って第3のコードを取得するステップであって、前記第3のマッピング関係が、前記Mに対応する前記第3のコードを示すために使用され、前記第3のコードのビット量が、前記第2のコードのビット量よりも少ない、ステップと、
前記基地局によって、前記第1のコードと前記第3のコードとを組み合わせて前記CAIフィールドを生成するステップと
をさらに含む、請求項24に記載の方法。
【請求項２６】
前記CAIフィールドのビット量が、
【数１７】
2019169959.tif 000143
であり、前記aが、2以上かつ
【数１８】
2019169959.tif 000144
未満の整数である、請求項25に記載の方法。
【請求項２７】
前記CAIフィールドが、前記現在のスケジューリングキャリアの前記前のスケジューリングキャリアの番号および前記現在のスケジューリングキャリアの前記次のスケジューリングキャリアの番号を示すために使用される場合、基地局によって、前記基地局によって構成されたすべての構成キャリアのスケジューリングステータスに従って、現在のスケジューリングキャリアのキャリア割当指示CAIフィールドを生成する前記ステップが、
前記基地局によって、前記現在のスケジューリングキャリアの前記前のスケジューリングキャリアの番号および前記現在のスケジューリングキャリアの前記次のスケジューリングキャリアの番号を取得するステップと、
前記基地局によって、前記前のスケジューリングキャリアの番号、前記次のスケジューリングキャリアの番号、および第4の予め設定されたマッピング関係に従って前記CAIフィールドを生成するステップと
を含む、請求項21に記載の方法。
【請求項２８】
前記第4のマッピング関係が、前記前のスケジューリングキャリアの番号に対応する第4のコードおよび前記次のスケジューリングキャリアの番号に対応する第5のコードを示すために使用され、
前記基地局によって、前記前のスケジューリングキャリアの番号、前記次のスケジューリングキャリアの番号、および第4の予め設定されたマッピング関係に従って前記CAIフィールドを生成する前記ステップが、
前記基地局によって、前記前のスケジューリングキャリアの番号および前記第4のマッピング関係に従って前記第4のコードを取得し、前記次のスケジューリングキャリアの番号および前記第4のマッピング関係に従って前記第5のコードを取得するステップと、
前記基地局によって、前記第4のコードと前記第5のコードとを組み合わせて前記CAIフィールドを生成するステップと
を含む、請求項27に記載の方法。
【請求項２９】
前記第4のマッピング関係が、前記前のスケジューリングキャリアの番号および前記次のスケジューリングキャリアの番号に対してジョイントコーディングを実行した結果として取得される第6のコードを示すために使用され、前記第6のコードのビット量が、第4のコードのビット量と第5のコードのビット量との合計よりも少なく、
前記基地局によって、前記前のスケジューリングキャリアの番号、前記次のスケジューリングキャリアの番号、および第4の予め設定されたマッピング関係に従って前記CAIフィールドを生成する前記ステップが、
前記基地局によって、前記前のスケジューリングキャリアの番号、前記次のスケジューリングキャリアの番号、および前記第4のマッピング関係に従って前記第6のコードを取得するステップと、
前記基地局によって、前記第6のコードを前記CAIフィールドとして使用するステップと
を含む、請求項27に記載の方法。
【請求項３０】
前記CAIフィールドのビット量が、
【数１９】
2019169959.tif 000145
であり、
【数２０】
2019169959.tif 000146
が、log2Nを切り上げた後に得られる値を表す、請求項28に記載の方法。
【請求項３１】
キャリアスケジューリング指示方法であって、
ユーザ端末UEによって、少なくとも1つの現在のスケジューリングキャリアを用いて基地局によって送信された、キャリア割当指示CAIフィールドを運ぶダウンリンク制御情報DCIを受信するステップであって、前記CAIフィールドが、前記基地局によって構成されたすべての構成キャリア中のスケジューリングキャリアの総量および前記現在のスケジューリングキャリアの累積指標値Mを示すために使用され、前記Mが、前記現在のスケジューリングキャリアが、最初の前記構成キャリアから前記現在のスケジューリングキャリアまででM番目のスケジューリングキャリアであることを示すか、または、前記CAIフィールドが、前記現在のスケジューリングキャリアの前のスケジューリングキャリアの番号および前記現在のスケジューリングキャリアの次のスケジューリングキャリアの番号を示すために使用される、ステップと、
前記UEによって、すべての前記構成キャリアのスケジューリングステータスを学習するために前記DCI内の前記CAIフィールドを取得するステップと
を含む、キャリアスケジューリング指示方法。
【請求項３２】
前記UEによって前記DCI内の前記CAIフィールドを取得する前記ステップの後に、
前記UEによって、ハイブリッド自動再送要求HARQ情報を前記基地局に送信するステップをさらに含み、
前記HARQ情報が、すべての前記スケジューリングキャリアを用いて前記基地局によって送信されたデータを前記UEが正しく受信したかどうかをフィードバックするために使用され、前記HARQ情報のビット量が、すべての前記スケジューリングキャリアを用いて送信された前記データが正しく受信されたかどうかをフィードバックするために必要なビット量の合計に等しい、請求項31に記載の方法。
【請求項３３】
前記CAIフィールドが、前記基地局によって構成されたすべての前記構成キャリア中の前記スケジューリングキャリアの前記総量および前記現在のスケジューリングキャリアの前記累積指標値Mを示すために使用される場合、
前記CAIフィールドが、第1のコードおよび第2のコードを含み、前記第1のコードが、前記スケジューリングキャリアの前記総量および第1の予め設定されたマッピング関係に従って前記基地局によって取得されるコードであり、前記第1のマッピング関係が、前記スケジューリングキャリアの前記総量に対応する前記第1のコードを示すために使用され、前記第2のコードが、前記Mおよび第2の予め設定されたマッピング関係に従って前記基地局によって取得されるコードであり、前記第2のマッピング関係が、前記Mに対応する前記第2のコードを示すために使用されるか、または
前記CAIフィールドが、第1のコードおよび第3のコードを含み、前記第3のコードが、前記Mおよび第3の予め設定されたマッピング関係に従って前記基地局によって取得されるコードであり、前記第3のマッピング関係が、前記Mに対応する前記第3のコードを示すために使用され、前記第3のコードのビット量が、第2のコードのビット量よりも少ない、請求項31または32に記載の方法。
【請求項３４】
前記CAIフィールドが、前記現在のスケジューリングキャリアの前記前のスケジューリングキャリアの番号および前記現在のスケジューリングキャリアの前記次のスケジューリングキャリアの番号を示すために使用される場合、
前記CAIフィールドは、第4のコードおよび第5のコードを含み、前記第4のコードは、前記前のスケジューリングキャリアの番号および第4の予め設定されたマッピング関係に従って前記基地局によって取得されるコードであり、前記第5のコードは、前記次のスケジューリングキャリアの番号および前記第4のマッピング関係に従って前記基地局によって取得されるコードであり、前記第4のマッピング関係は、前記前のスケジューリングキャリアの番号に対応する前記第4のコードおよび前記次のスケジューリングキャリアの番号に対応する前記第5のコードを示すために使用されるか、または
前記CAIフィールドは、第6のコードであり、該第6のコードは、前記前のスケジューリングキャリアの番号、前記次のスケジューリングキャリアの番号、および第4の予め設定されたマッピング関係に従って前記基地局によって取得されるコードであり、前記第4のマッピング関係が、前記前のスケジューリングキャリアの番号および前記次のスケジューリングキャリアの番号に対してジョイントコーディングを実行した結果として取得される前記第6のコードを示すために使用される、請求項31または32に記載の方法。
【請求項３５】
前記UEによって、ハイブリッド自動再送要求HARQ情報を前記基地局に送信する前記ステップが、
前記UEによって、前記CAIフィールドに従って前記スケジューリングキャリアの前記総量および前記少なくとも1つの現在のスケジューリングキャリアの前記累積指標値Mを求めるステップと、
前記UEによって、前記スケジューリングキャリアの前記総量および前記少なくとも1つの現在のスケジューリングキャリアの前記累積指標値Mに従って前記HARQ情報を前記基地局に送信するステップと
を含む、請求項33に記載の方法。
【請求項３６】
前記UEによって、ハイブリッド自動再送要求HARQ情報を前記基地局に送信する前記ステップが、
前記UEによって、前記CAIフィールドに従って、前記少なくとも1つの現在のスケジューリングキャリアの前記前のスケジューリングキャリアの番号および前記少なくとも1つの現在のスケジューリングキャリアの前記次のスケジューリングキャリアの番号を求めるステップと、
前記UEによって、前記少なくとも1つの現在のスケジューリングキャリアの前記前のスケジューリングキャリアの番号および前記少なくとも1つの現在のスケジューリングキャリアの前記次のスケジューリングキャリアの番号に従って、前記スケジューリングキャリアの前記総量を求めるステップと、
前記UEによって、前記スケジューリングキャリアの前記総量、前記少なくとも1つの現在のスケジューリングキャリアの前記前のスケジューリングキャリアの番号、および前記少なくとも1つの現在のスケジューリングキャリアの前記次のスケジューリングキャリアの番号に従って、前記HARQ情報を前記基地局に送信するステップと
を含む、請求項34に記載の方法。
【請求項３７】
前記CAIフィールドが、前記第1のコードおよび前記第2のコードを含む場合、前記UEによって、前記CAIフィールドに従って前記スケジューリングキャリアの前記総量および前記少なくとも1つの現在のスケジューリングキャリアの前記累積指標値Mを求める前記ステップが、
前記UEによって、前記CAIフィールドに関して、前記第1のマッピング関係および前記第1のコードに従って前記スケジューリングキャリアの前記総量を取得し、前記第2のマッピング関係および前記第2のコードに従って前記Mを取得するステップを含む、請求項35に記載の方法。
【請求項３８】
前記CAIフィールドが、前記第1のコードおよび前記第3のコードを含む場合、前記UEによって、前記CAIフィールドに従って前記スケジューリングキャリアの前記総量および前記少なくとも1つの現在のスケジューリングキャリアの前記累積指標値Mを求める前記ステップが、
前記UEによって、前記CAIフィールドに関して、前記第1のマッピング関係および前記第1のコードに従って前記スケジューリングキャリアの前記総量を取得し、前記第3のマッピング関係および前記第3のコードに従って前記Mを取得するステップを含む、請求項35に記載の方法。
【請求項３９】
前記CAIフィールドが、前記第4のコードおよび前記第5のコードを含む場合、前記UEによって、前記CAIフィールドに従って、前記少なくとも1つの現在のスケジューリングキャリアの前記前のスケジューリングキャリアの番号および前記少なくとも1つの現在のスケジューリングキャリアの前記次のスケジューリングキャリアの番号を求める前記ステップが、
前記UEによって、前記CAIフィールドに関して、前記第4のコードおよび前記第4のマッピング関係に従って前記前のスケジューリングキャリアの番号を取得し、前記第5のコードおよび前記第4のマッピング関係に従って前記次のスケジューリングキャリアの番号を取得するステップを含む、請求項36に記載の方法。
【請求項４０】
前記CAIフィールドが、前記第6のコードを含む場合、前記UEによって、前記CAIフィールドに従って、前記少なくとも1つの現在のスケジューリングキャリアの前記前のスケジューリングキャリアの番号および前記少なくとも1つの現在のスケジューリングキャリアの前記次のスケジューリングキャリアの番号を求める前記ステップが、
前記UEによって、前記CAIフィールドに関して、前記第6のコードおよび前記第4のマッピング関係に従って前記前のスケジューリングキャリアの番号および前記次のスケジューリングキャリアの番号を取得するステップを含む、請求項36に記載の方法。
【発明の詳細な説明】
【技術分野】
【０００１】
本出願は、その全体が参照により本明細書に組み込まれる、2015年2月10日に中国特許庁に提出された、「基地局、ユーザ端末、およびキャリアスケジューリング指示方法」と題する中国特許出願第201510069646．X号に対する優先権を主張するものである。
【０００２】
本発明は、通信分野に関し、具体的には、基地局、ユーザ端末、およびキャリアスケジューリング指示方法（carrier scheduling indication method）に関する。
【背景技術】
【０００３】
ロング・ターム・エボリューション（Long Term Evolution、略してLTE）システムの発展プロセスにおいて、システムのスペクトル帯域幅を増大させるために、キャリアアグリゲーション技術が、第三世代パートナーシッププロジェクト（Third Generation Partnership Project、略して3GPP）で提案されている。キャリアアグリゲーション技術では、複数の連続キャリアまたは不連続キャリアが集約され、より広いスペクトルを形成する。基地局が、複数のキャリアを構成する場合、基地局は、複数の構成キャリア（configured carrier）を同時に用いてユーザ端末（User Equipment、略してUE）にデータを送信することができる。基地局が、構成キャリア（基地局によって構成されたキャリア）中のスケジューリングキャリア（scheduled carrier）（データを送信するために基地局によって使用されるキャリア）を用いてUEにデータを送信するとき、基地局は、基地局がスケジューリングキャリアにおいて占有する物理リソースブロックならびに基地局によって使用される変調および符号化方式などの情報をUEに示すために、各スケジューリングキャリアを用いてダウンリンク制御情報（Downlink Control Information、略してDCI）をUEに送信する必要があり、これにより、UEは、受信したDCIに従ってデータを受信する。
【０００４】
従来技術では、UEが、基地局のすべての構成キャリアのスケジューリングステータスを学習することができるようにするために、基地局は、現在のスケジューリングキャリア（DCIを送信するために使用されるキャリア）とは異なる構成キャリアのスケジューリングステータスを示すために、UEに送信されるDCIにダウンリンク割当指示（Downlink Assignment Indication、略してDAI）2フィールドを追加することができる。DAI2フィールドのビット量は、基地局の構成キャリアの量に従って決定され、ビット量は、基地局の構成キャリアの量から1を引いたものに等しい。
【０００５】
従来技術には、少なくとも以下の問題が存在する。従来技術では、DAI2フィールドは、現在のスケジューリングキャリアとは異なる構成キャリアのスケジューリングステータスを示す必要があるため、DAI2フィールドのビット量は、基地局の構成キャリアの量から1を引いたものに等しい。このため、基地局が、比較的大量のキャリアを構成する場合、DAI2フィールドは、より多くのビットを含むことになる。したがって、DCIは比較的長く、シグナリングオーバーヘッドは比較的大きい。
【発明の概要】
【課題を解決するための手段】
【０００６】
本発明は、基地局の構成キャリアの量が比較的大きいためにシグナリングオーバーヘッドが比較的大きいという問題を解決するために、基地局、ユーザ端末、およびキャリアスケジューリング指示方法を提供する。
【０００７】
前述の目的を達成するために、本発明では、以下の技術的解決策が使用される。
【０００８】
本発明の第1の態様は、基地局であって、該基地局が、処理ユニットおよび送信ユニットを含み、
処理ユニットが、すべての構成キャリアのスケジューリングステータスに従って、現在のスケジューリングキャリアのキャリア割当指示CAIフィールド（carrier assignment indication field）を生成するように構成され、CAIフィールドが、すべての構成キャリア中のスケジューリングキャリアの総量および現在のスケジューリングキャリアの累積指標値Mを示すために使用され、Mが、現在のスケジューリングキャリアが、最初の構成キャリアから現在のスケジューリングキャリアまででM番目のスケジューリングキャリアであることを示すか、または、CAIフィールドが、現在のスケジューリングキャリアの前のスケジューリングキャリアの番号および現在のスケジューリングキャリアの次のスケジューリングキャリアの番号を示すために使用され、
送信ユニットが、処理ユニットによって生成されたCAIフィールドをダウンリンク制御情報DCIに持たせて、現在のスケジューリングキャリアを用いてDCIをユーザ端末UEに送信するように構成され、
Mが、1以上の整数である、基地局を提供する。
【０００９】
本発明の第1の態様に関連して、可能な実施態様では、CAIフィールドが、すべての構成キャリア中のスケジューリングキャリアの総量および現在のスケジューリングキャリアの累積指標値Mを示すために使用される場合、
処理ユニットは、スケジューリングキャリアの総量を取得し、Mを取得し、スケジューリングキャリアの総量および第1の予め設定されたマッピング関係に従って第1のコードを取得し、Mおよび第2の予め設定されたマッピング関係に従って第2のコードを取得し、第1のコードと第2のコードとを組み合わせてCAIフィールドを生成するように特に構成され、
第1のマッピング関係は、スケジューリングキャリアの総量に対応する第1のコードを示すために使用され、第2のマッピング関係は、Mに対応する第2のコードを示すために使用される。
【００１０】
第1の態様および前述の可能な実施態様に関連して、別の可能な実施態様では、第1のコードは、
【数１】
2019169959.tif 000003
ビットを含み、第2のコードは、
【数２】
2019169959.tif 000004
ビットを含み、
Nは、すべての構成キャリアの総量であり、
【数３】
2019169959.tif 000005
は、log2Nを切り上げた後に得られる値を表す。
【００１１】
第1の態様および前述の可能な実施態様に関連して、別の可能な実施態様では、
処理ユニットは、スケジューリングキャリアの総量および第1の予め設定されたマッピング関係に従って第1のコードを取得し、Mおよび第2の予め設定されたマッピング関係に従って第2のコードを取得する前に、
【数４】
2019169959.tif 000006
が2より大きいかどうかを判定するようにさらに構成され、
処理ユニットは、
【数５】
2019169959.tif 000007
が2より大きくない場合に、スケジューリングキャリアの総量および第1のマッピング関係に従って第1のコードを取得し、Mおよび第2のマッピング関係に従って第2のコードを取得するように特に構成される。
【００１２】
第1の態様および前述の可能な実施態様に関連して、別の可能な実施態様では、
処理ユニットは、
【数６】
2019169959.tif 000008
が2より大きい場合に、スケジューリングキャリアの総量および第1のマッピング関係に従って第1のコードを取得し、Mおよび第3の予め設定されたマッピング関係に従って第3のコードを取得し、第1のコードと第3のコードとを組み合わせてCAIフィールドを生成するようにさらに構成され、
第3のマッピング関係は、Mに対応する第3のコードを示すために使用され、第3のコードのビット量は、第2のコードのビット量よりも少ない。
【００１３】
第1の態様および前述の可能な実施態様に関連して、別の可能な実施態様では、
第1のコードは、CAIフィールドの最初の
【数７】
2019169959.tif 000009
ビットに配置され、第2のコードは、CAIフィールドの最後の
【数８】
2019169959.tif 000010
ビットに配置されるか、
または、
第1のコードは、CAIフィールドの最後の
【数９】
2019169959.tif 000011
ビットに配置され、第2のコードは、CAIフィールドの最初の
【数１０】
2019169959.tif 000012
ビットに配置される。
【００１４】
第1の態様および前述の可能な実施態様に関連して、別の可能な実施態様では、
CAIフィールドのビット量は、
【数１１】
2019169959.tif 000013
であり、aは、2以上かつ
【数１２】
2019169959.tif 000014
未満の整数であり、
第1のコードは、CAIフィールドの最初の
【数１３】
2019169959.tif 000015
ビットに配置され、第3のコードは、CAIフィールドの最後のaビットに配置されるか、
または
第1のコードは、CAIフィールドの最後の
【数１４】
2019169959.tif 000016
ビットに配置され、第3のコードは、CAIフィールドの最初のaビットに配置される。
【００１５】
第1の態様および前述の可能な実施態様に関連して、別の可能な実施態様では、CAIフィールドが、現在のスケジューリングキャリアの前のスケジューリングキャリアの番号および現在のスケジューリングキャリアの次のスケジューリングキャリアの番号を示すために使用される場合、
処理ユニットは、現在のスケジューリングキャリアの前のスケジューリングキャリアの番号および現在のスケジューリングキャリアの次のスケジューリングキャリアの番号を取得し、前のスケジューリングキャリアの番号、次のスケジューリングキャリアの番号、および第4の予め設定されたマッピング関係に従ってCAIフィールドを生成するように特に構成される。
【００１６】
第1の態様および前述の可能な実施態様に関連して、別の可能な実施態様では、第4のマッピング関係は、前のスケジューリングキャリアの番号に対応する第4のコードおよび次のスケジューリングキャリアの番号に対応する第5のコードを示すために使用され、
処理ユニットは、前のスケジューリングキャリアの番号および第4のマッピング関係に従って第4のコードを取得し、次のスケジューリングキャリアの番号および第4のマッピング関係に従って第5のコードを取得し、第4のコードと第5のコードとを組み合わせてCAIフィールドを生成するように特に構成される。
【００１７】
第1の態様および前述の可能な実施態様に関連して、別の可能な実施態様では、第4のマッピング関係は、前のスケジューリングキャリアの番号および次のスケジューリングキャリアの番号に対してジョイントコーディングを実行した結果として取得される第6のコードを示すために使用され、第6のコードのビット量は、第4のコードのビット量と第5のコードのビット量との合計よりも少なく、
処理ユニットは、前のスケジューリングキャリアの番号、次のスケジューリングキャリアの番号、および第4のマッピング関係に従って第6のコードを取得し、第6のコードをCAIフィールドとして使用するように特に構成される。
【００１８】
第1の態様および前述の可能な実施態様に関連して、別の可能な実施態様では、CAIフィールドのビット量は、
【数１５】
2019169959.tif 000017
であり、
第4のコードは、CAIフィールドの最初の
【数１６】
2019169959.tif 000018
ビットに配置され、第5のコードは、CAIフィールドの最後の
【数１７】
2019169959.tif 000019
ビットに配置されるか、
または
第4のコードは、CAIフィールドの最後の
【数１８】
2019169959.tif 000020
ビットに配置され、第5のコードは、CAIフィールドの最初の
【数１９】
2019169959.tif 000021
ビットに配置される。
【００１９】
第1の態様および前述の可能な実施態様に関連して、別の可能な実施態様では、CAIフィールドのビット量は、
【数２０】
2019169959.tif 000022
である。
【００２０】
本発明の第2の態様は、ユーザ端末UEであって、UEが、受信ユニットおよび処理ユニットを含み、
受信ユニットが、少なくとも1つの現在のスケジューリングキャリアを用いて基地局によって送信された、キャリア割当指示CAIフィールドを運ぶダウンリンク制御情報DCIを受信するように構成され、CAIフィールドが、基地局によって構成されたすべての構成キャリア中のスケジューリングキャリアの総量および現在のスケジューリングキャリアの累積指標値Mを示すために使用され、Mが、現在のスケジューリングキャリアが、最初の構成キャリアから現在のスケジューリングキャリアまででM番目のスケジューリングキャリアであることを示すか、または、CAIフィールドが、現在のスケジューリングキャリアの前のスケジューリングキャリアの番号および現在のスケジューリングキャリアの次のスケジューリングキャリアの番号を示すために使用され、
処理ユニットが、受信ユニットによって受信されたDCI内のCAIフィールドを取得して、すべての構成キャリアのスケジューリングステータスを学習するように構成される、ユーザ端末UEを提供する。
【００２１】
本発明の第2の態様に関連して、可能な実施態様では、UEは、送信ユニットをさらに含み、
送信ユニットは、処理ユニットがDCI内のCAIフィールドを取得した後に、ハイブリッド自動再送要求HARQ情報を基地局に送信するように構成され、
HARQ情報は、すべてのスケジューリングキャリアを用いて基地局によって送信されたデータをUEが正しく受信したかどうかをフィードバックするために使用され、HARQ情報のビット量は、すべてのスケジューリングキャリアを用いて送信されたデータが正しく受信されたかどうかをフィードバックするために必要なビット量の合計に等しい。
【００２２】
第2の態様および前述の可能な実施態様に関連して、別の可能な実施態様では、CAIフィールドが、基地局によって構成されたすべての構成キャリア中のスケジューリングキャリアの総量および現在のスケジューリングキャリアの累積指標値Mを示すために使用される場合、
CAIフィールドは、第1のコードおよび第2のコードを含み、第1のコードは、スケジューリングキャリアの総量および第1の予め設定されたマッピング関係に従って基地局によって取得されるコードであり、第1のマッピング関係は、スケジューリングキャリアの総量に対応する第1のコードを示すために使用され、第2のコードは、Mおよび第2の予め設定されたマッピング関係に従って基地局によって取得されるコードであり、第2のマッピング関係は、Mに対応する第2のコードを示すために使用されるか、または
CAIフィールドは、第1のコードおよび第3のコードを含み、第3のコードは、Mおよび第3の予め設定されたマッピング関係に従って基地局によって取得されるコードであり、第3のマッピング関係は、Mに対応する第3のコードを示すために使用され、第3のコードのビット量は、第2のコードのビット量よりも少ない。
【００２３】
第2の態様および前述の可能な実施態様に関連して、別の可能な実施態様では、CAIフィールドが、現在のスケジューリングキャリアの前のスケジューリングキャリアの番号および現在のスケジューリングキャリアの次のスケジューリングキャリアの番号を示すために使用される場合、
CAIフィールドは、第4のコードおよび第5のコードを含み、第4のコードは、前のスケジューリングキャリアの番号および第4の予め設定されたマッピング関係に従って基地局によって取得されるコードであり、第5のコードは、次のスケジューリングキャリアの番号および第4のマッピング関係に従って基地局によって取得されるコードであり、第4のマッピング関係は、前のスケジューリングキャリアの番号に対応する第4のコードおよび次のスケジューリングキャリアの番号に対応する第5のコードを示すために使用されるか、または
CAIフィールドは、第6のコードであり、第6のコードは、前のスケジューリングキャリアの番号、次のスケジューリングキャリアの番号、および第4の予め設定されたマッピング関係に従って基地局によって取得されるコードであり、第4のマッピング関係は、前のスケジューリングキャリアの番号および次のスケジューリングキャリアの番号に対してジョイントコーディングを実行した結果として取得される第6のコードを示すために使用される。
【００２４】
第2の態様および前述の可能な実施態様に関連して、別の可能な実施態様では、
処理ユニットは、CAIフィールドに従って、スケジューリングキャリアの総量および少なくとも1つの現在のスケジューリングキャリアの累積指標値Mを求めるようにさらに構成され、
送信ユニットは、処理ユニットによって求められたスケジューリングキャリアの総量および少なくとも1つの現在のスケジューリングキャリアの累積指標値Mに従ってHARQ情報を基地局に送信するように特に構成される。
【００２５】
第2の態様および前述の可能な実施態様に関連して、別の可能な実施態様では、
処理ユニットは、CAIフィールドに従って、少なくとも1つの現在のスケジューリングキャリアの前のスケジューリングキャリアの番号および少なくとも1つの現在のスケジューリングキャリアの次のスケジューリングキャリアの番号を求め、少なくとも1つの現在のスケジューリングキャリアの前のスケジューリングキャリアの番号および少なくとも1つの現在のスケジューリングキャリアの次のスケジューリングキャリアの番号に従って、スケジューリングキャリアの総量を求めるようにさらに構成され、
送信ユニットは、処理ユニットによって求められたスケジューリングキャリアの総量、少なくとも1つの現在のスケジューリングキャリアの前のスケジューリングキャリアの番号、および少なくとも1つの現在のスケジューリングキャリアの次のスケジューリングキャリアの番号に従って、HARQ情報を基地局に送信するように特に構成される。
【００２６】
第2の態様および前述の可能な実施態様に関連して、別の可能な実施態様では、CAIフィールドが、第1のコードおよび第2のコードを含む場合、
処理ユニットは、CAIフィールドに関して、第1のマッピング関係および第1のコードに従ってスケジューリングキャリアの総量を取得し、第2のマッピング関係および第2のコードに従ってMを取得するように特に構成される。
【００２７】
第2の態様および前述の可能な実施態様に関連して、別の可能な実施態様では、CAIフィールドが、第1のコードおよび第3のコードを含む場合、
処理ユニットは、CAIフィールドに関して、第1のマッピング関係および第1のコードに従ってスケジューリングキャリアの総量を取得し、第3のマッピング関係および第3のコードに従ってMを取得するように特に構成される。
【００２８】
第2の態様および前述の可能な実施態様に関連して、別の可能な実施態様では、CAIフィールドが、第4のコードおよび第5のコードを含む場合、
処理ユニットは、CAIフィールドに関して、第4のコードおよび第4のマッピング関係に従って前のスケジューリングキャリアの番号を取得し、第5のコードおよび第4のマッピング関係に従って次のスケジューリングキャリアの番号を取得するように特に構成される。
【００２９】
第2の態様および前述の可能な実施態様に関連して、別の可能な実施態様では、CAIフィールドが、第6のコードである場合、
処理ユニットは、CAIフィールドに関して、第6のコードおよび第4のマッピング関係に従って前のスケジューリングキャリアの番号および次のスケジューリングキャリアの番号を取得するように特に構成される。
【００３０】
本発明の第3の態様は、キャリアスケジューリング指示方法であって、該方法が、
基地局によって、該基地局によって構成されたすべての構成キャリアのスケジューリングステータスに従って現在のスケジューリングキャリアのキャリア割当指示CAIフィールドを生成するステップであって、CAIフィールドが、すべての構成キャリア中のスケジューリングキャリアの総量および現在のスケジューリングキャリアの累積指標値Mを示すために使用され、Mが、現在のスケジューリングキャリアが、最初の構成キャリアから現在のスケジューリングキャリアまででM番目のスケジューリングキャリアであることを示すか、または、CAIフィールドが、現在のスケジューリングキャリアの前のスケジューリングキャリアの番号および現在のスケジューリングキャリアの次のスケジューリングキャリアの番号を示すために使用される、ステップと、
基地局によって、処理ユニットによって生成されたCAIフィールドをダウンリンク制御情報DCIに持たせて、現在のスケジューリングキャリアを用いてDCIをユーザ端末UEに送信するステップとを含み、
Mが、1以上の整数である、キャリアスケジューリング指示方法を提供する。
【００３１】
本発明の第3の態様に関連して、可能な実施態様では、CAIフィールドが、すべての構成キャリア中のスケジューリングキャリアの総量および現在のスケジューリングキャリアの累積指標値Mを示すために使用される場合、基地局によって、基地局によって構成されたすべての構成キャリアのスケジューリングステータスに従って、現在のスケジューリングキャリアのキャリア割当指示CAIフィールドを生成するステップは、
基地局によって、スケジューリングキャリアの総量を取得し、Mを取得するステップと、
基地局によって、スケジューリングキャリアの総量および第1の予め設定されたマッピング関係に従って第1のコードを取得し、Mおよび第2の予め設定されたマッピング関係に従って第2のコードを取得するステップであって、第1のマッピング関係が、スケジューリングキャリアの総量に対応する第1のコードを示すために使用され、第2のマッピング関係が、Mに対応する第2のコードを示すために使用される、ステップと、
基地局によって、第1のコードと第2のコードとを組み合わせてCAIフィールドを生成するステップと
を含む。
【００３２】
第3の態様および前述の可能な実施態様に関連して、別の可能な実施態様では、第1のコードは、
【数２１】
2019169959.tif 000023
ビットを含み、第2のコードは、
【数２２】
2019169959.tif 000024
ビットを含み、
Nは、すべての構成キャリアの総量であり、
【数２３】
2019169959.tif 000025
は、log2Nを切り上げた後に得られる値を表す。
【００３３】
第3の態様および前述の可能な実施態様に関連して、別の可能な実施態様では、基地局によって、スケジューリングキャリアの総量および第1の予め設定されたマッピング関係に従って第1のコードを取得し、Mおよび第2の予め設定されたマッピング関係に従って第2のコードを取得するステップの前に、本方法は、
基地局によって、
【数２４】
2019169959.tif 000026
が2より大きいかどうかを判定するステップをさらに含み、
基地局によって、スケジューリングキャリアの総量および第1の予め設定されたマッピング関係に従って第1のコードを取得し、Mおよび第2の予め設定されたマッピング関係に従って第2のコードを取得するステップは、
【数２５】
2019169959.tif 000027
が2より大きくない場合に、基地局によって、スケジューリングキャリアの総量および第1の予め設定されたマッピング関係に従って第1のコードを取得し、Mおよび第2の予め設定されたマッピング関係に従って第2のコードを取得するステップを含む。
【００３４】
第3の態様および前述の可能な実施態様に関連して、別の可能な実施態様では、本方法は、
【数２６】
2019169959.tif 000028
が2より大きい場合に、基地局によって、スケジューリングキャリアの総量および第1のマッピング関係に従って第1のコードを取得し、Mおよび第3の予め設定されたマッピング関係に従って第3のコードを取得するステップであって、第3のマッピング関係が、Mに対応する第3のコードを示すために使用され、第3のコードのビット量が、第2のコードのビット量よりも少ない、ステップと、
基地局によって、第1のコードと第3のコードとを組み合わせてCAIフィールドを生成するステップと
をさらに含む。
【００３５】
第3の態様および前述の可能な実施態様に関連して、別の可能な実施態様では、
第1のコードは、CAIフィールドの最初の
【数２７】
2019169959.tif 000029
ビットに配置され、第2のコードは、CAIフィールドの最後の
【数２８】
2019169959.tif 000030
ビットに配置されるか、
または、
第1のコードは、CAIフィールドの最後の
【数２９】
2019169959.tif 000031
ビットに配置され、第2のコードは、CAIフィールドの最初の
【数３０】
2019169959.tif 000032
ビットに配置される。
【００３６】
第3の態様および前述の可能な実施態様に関連して、別の可能な実施態様では、
CAIフィールドのビット量は、
【数３１】
2019169959.tif 000033
であり、aは、2以上かつ
【数３２】
2019169959.tif 000034
未満の整数であり、
第1のコードは、CAIフィールドの最初の
【数３３】
2019169959.tif 000035
ビットに配置され、第3のコードは、CAIフィールドの最後のaビットに配置されるか、
または
第1のコードは、CAIフィールドの最後の
【数３４】
2019169959.tif 000036
ビットに配置され、第3のコードは、CAIフィールドの最初のaビットに配置される。
【００３７】
第3の態様および前述の可能な実施態様に関連して、別の可能な実施態様では、CAIフィールドが、現在のスケジューリングキャリアの前のスケジューリングキャリアの番号および現在のスケジューリングキャリアの次のスケジューリングキャリアの番号を示すために使用される場合、基地局によって、基地局によって構成されたすべての構成キャリアのスケジューリングステータスに従って、現在のスケジューリングキャリアのキャリア割当指示CAIフィールドを生成するステップは、
基地局によって、現在のスケジューリングキャリアの前のスケジューリングキャリアの番号および現在のスケジューリングキャリアの次のスケジューリングキャリアの番号を取得するステップと、
基地局によって、前のスケジューリングキャリアの番号、次のスケジューリングキャリアの番号、および第4の予め設定されたマッピング関係に従ってCAIフィールドを生成するステップと
を含む。
【００３８】
第3の態様および前述の可能な実施態様に関連して、別の可能な実施態様では、第4のマッピング関係は、前のスケジューリングキャリアの番号に対応する第4のコードおよび次のスケジューリングキャリアの番号に対応する第5のコードを示すために使用され、
基地局によって、前のスケジューリングキャリアの番号、次のスケジューリングキャリアの番号、および第4の予め設定されたマッピング関係に従ってCAIフィールドを生成するステップは、
基地局によって、前のスケジューリングキャリアの番号および第4のマッピング関係に従って第4のコードを取得し、次のスケジューリングキャリアの番号および第4のマッピング関係に従って第5のコードを取得するステップと、
基地局によって、第4のコードと第5のコードとを組み合わせてCAIフィールドを生成するステップと
を含む。
【００３９】
第3の態様および前述の可能な実施態様に関連して、別の可能な実施態様では、第4のマッピング関係は、前のスケジューリングキャリアの番号および次のスケジューリングキャリアの番号に対してジョイントコーディングを実行した結果として取得される第6のコードを示すために使用され、第6のコードのビット量は、第4のコードのビット量と第5のコードのビット量との合計よりも少なく、
基地局によって、前のスケジューリングキャリアの番号、次のスケジューリングキャリアの番号、および第4の予め設定されたマッピング関係に従ってCAIフィールドを生成するステップは、
基地局によって、前のスケジューリングキャリアの番号、次のスケジューリングキャリアの番号、および第4のマッピング関係に従って第6のコードを取得するステップと、
基地局によって、第6のコードをCAIフィールドとして使用するステップと
を含む。
【００４０】
第3の態様および前述の可能な実施態様に関連して、別の可能な実施態様では、CAIフィールドのビット量は、
【数３５】
2019169959.tif 000037
であり、
第4のコードは、CAIフィールドの最初の
【数３６】
2019169959.tif 000038
ビットに配置され、第5のコードは、CAIフィールドの最後の
【数３７】
2019169959.tif 000039
ビットに配置されるか、
または
第4のコードは、CAIフィールドの最後の
【数３８】
2019169959.tif 000040
ビットに配置され、第5のコードは、CAIフィールドの最初の
【数３９】
2019169959.tif 000041
ビットに配置される。
【００４１】
第3の態様および前述の可能な実施態様に関連して、別の可能な実施態様では、CAIフィールドのビット量は、
【数４０】
2019169959.tif 000042
である。
【００４２】
本発明の第4の態様は、キャリアスケジューリング指示方法であって、
ユーザ装置UEによって、少なくとも1つの現在のスケジューリングキャリアを用いて基地局によって送信された、キャリア割当指示CAIフィールドを運ぶダウンリンク制御情報DCIを受信するステップであって、CAIフィールドが、基地局によって構成されたすべての構成キャリア中のスケジューリングキャリアの総量および現在のスケジューリングキャリアの累積指標値Mを示すために使用され、Mが、現在のスケジューリングキャリアが、最初の構成キャリアから現在のスケジューリングキャリアまででM番目のスケジューリングキャリアであることを示すか、または、CAIフィールドが、現在のスケジューリングキャリアの前のスケジューリングキャリアの番号および現在のスケジューリングキャリアの次のスケジューリングキャリアの番号を示すために使用される、ステップと、
UEによって、すべての構成キャリアのスケジューリングステータスを学習するためにDCI内のCAIフィールドを取得するステップと
を含む、キャリアスケジューリング指示方法を提供する。
【００４３】
本発明の第4の態様に関連して、可能な実施態様では、UEによってDCI内のCAIフィールドを取得するステップの後に、本方法は、
UEによって、ハイブリッド自動再送要求HARQ情報を基地局に送信するステップをさらに含み、
HARQ情報は、すべてのスケジューリングキャリアを用いて基地局によって送信されたデータをUEが正しく受信したかどうかをフィードバックするために使用され、HARQ情報のビット量は、すべてのスケジューリングキャリアを用いて送信されたデータが正しく受信されたかどうかをフィードバックするために必要なビット量の合計に等しい。
【００４４】
第4の態様および前述の可能な実施態様に関連して、別の可能な実施態様では、CAIフィールドが、基地局によって構成されたすべての構成キャリア中のスケジューリングキャリアの総量および現在のスケジューリングキャリアの累積指標値Mを示すために使用される場合、
CAIフィールドは、第1のコードおよび第2のコードを含み、第1のコードは、スケジューリングキャリアの総量および第1の予め設定されたマッピング関係に従って基地局によって取得されるコードであり、第1のマッピング関係は、スケジューリングキャリアの総量に対応する第1のコードを示すために使用され、第2のコードは、Mおよび第2の予め設定されたマッピング関係に従って基地局によって取得されるコードであり、第2のマッピング関係は、Mに対応する第2のコードを示すために使用されるか、または
CAIフィールドは、第1のコードおよび第3のコードを含み、第3のコードは、Mおよび第3の予め設定されたマッピング関係に従って基地局によって取得されるコードであり、第3のマッピング関係は、Mに対応する第3のコードを示すために使用され、第3のコードのビット量は、第2のコードのビット量よりも少ない。
【００４５】
第4の態様および前述の可能な実施態様に関連して、別の可能な実施態様では、CAIフィールドが、現在のスケジューリングキャリアの前のスケジューリングキャリアの番号および現在のスケジューリングキャリアの次のスケジューリングキャリアの番号を示すために使用される場合、
CAIフィールドは、第4のコードおよび第5のコードを含み、第4のコードは、前のスケジューリングキャリアの番号および第4の予め設定されたマッピング関係に従って基地局によって取得されるコードであり、第5のコードは、次のスケジューリングキャリアの番号および第4のマッピング関係に従って基地局によって取得されるコードであり、第4のマッピング関係は、前のスケジューリングキャリアの番号に対応する第4のコードおよび次のスケジューリングキャリアの番号に対応する第5のコードを示すために使用されるか、または
CAIフィールドは、第6のコードであり、第6のコードは、前のスケジューリングキャリアの番号、次のスケジューリングキャリアの番号、および第4の予め設定されたマッピング関係に従って基地局によって取得されるコードであり、第4のマッピング関係は、前のスケジューリングキャリアの番号および次のスケジューリングキャリアの番号に対してジョイントコーディングを実行した結果として取得される第6のコードを示すために使用される。
【００４６】
第4の態様および前述の可能な実施態様に関連して、別の可能な実施態様では、UEによって、ハイブリッド自動再送要求HARQ情報を基地局に送信するステップは、
UEによって、CAIフィールドに従ってスケジューリングキャリアの総量および少なくとも1つの現在のスケジューリングキャリアの累積指標値Mを求めるステップと、
UEによって、スケジューリングキャリアの総量および少なくとも1つの現在のスケジューリングキャリアの累積指標値Mに従ってHARQ情報を基地局に送信するステップと
を含む。
【００４７】
第4の態様および前述の可能な実施態様に関連して、別の可能な実施態様では、UEによって、ハイブリッド自動再送要求HARQ情報を基地局に送信するステップは、
UEによって、CAIフィールドに従って、少なくとも1つの現在のスケジューリングキャリアの前のスケジューリングキャリアの番号および少なくとも1つの現在のスケジューリングキャリアの次のスケジューリングキャリアの番号を求めるステップと、
UEによって、少なくとも1つの現在のスケジューリングキャリアの前のスケジューリングキャリアの番号および少なくとも1つの現在のスケジューリングキャリアの次のスケジューリングキャリアの番号に従って、スケジューリングキャリアの総量を求めるステップと、
UEによって、スケジューリングキャリアの総量、少なくとも1つの現在のスケジューリングキャリアの前のスケジューリングキャリアの番号、および少なくとも1つの現在のスケジューリングキャリアの次のスケジューリングキャリアの番号に従って、HARQ情報を基地局に送信するステップと
を含む。
【００４８】
第4の態様および前述の可能な実施態様に関連して、別の可能な実施態様では、CAIフィールドが、第1のコードおよび第2のコードを含む場合、UEによって、CAIフィールドに従ってスケジューリングキャリアの総量および少なくとも1つの現在のスケジューリングキャリアの累積指標値Mを求めるステップは、
UEによって、CAIフィールドに関して、第1のマッピング関係および第1のコードに従ってスケジューリングキャリアの総量を取得し、第2のマッピング関係および第2のコードに従ってMを取得するステップを含む。
【００４９】
第4の態様および前述の可能な実施態様に関連して、別の可能な実施態様では、CAIフィールドが、第1のコードおよび第3のコードを含む場合、UEによって、CAIフィールドに従ってスケジューリングキャリアの総量および少なくとも1つの現在のスケジューリングキャリアの累積指標値Mを求めるステップは、
UEによって、CAIフィールドに関して、第1のマッピング関係および第1のコードに従ってスケジューリングキャリアの総量を取得し、第3のマッピング関係および第3のコードに従ってMを取得するステップを含む。
【００５０】
第4の態様および前述の可能な実施態様に関連して、別の可能な実施態様では、CAIフィールドが、第4のコードおよび第5のコードを含む場合、UEによって、CAIフィールドに従って、少なくとも1つの現在のスケジューリングキャリアの前のスケジューリングキャリアの番号および少なくとも1つの現在のスケジューリングキャリアの次のスケジューリングキャリアの番号を求めるステップは、
UEによって、CAIフィールドに関して、第4のコードおよび第4のマッピング関係に従って前のスケジューリングキャリアの番号を取得し、第5のコードおよび第4のマッピング関係に従って次のスケジューリングキャリアの番号を取得するステップを含む。
【００５１】
第4の態様および前述の可能な実施態様に関連して、別の可能な実施態様では、CAIフィールドが、第6のコードである場合、UEによって、CAIフィールドに従って、少なくとも1つの現在のスケジューリングキャリアの前のスケジューリングキャリアの番号および少なくとも1つの現在のスケジューリングキャリアの次のスケジューリングキャリアの番号を求めるステップは、
UEによって、CAIフィールドに関して、第6のコードおよび第4のマッピング関係に従って前のスケジューリングキャリアの番号および次のスケジューリングキャリアの番号を取得するステップを含む。
【００５２】
本発明の実施形態で提供される基地局、ユーザ端末、およびキャリアスケジューリング指示方法によれば、基地局によって構成されたすべての構成キャリアのスケジューリングステータスに従って現在のスケジューリングキャリアのCAIフィールドを生成した後に、基地局は、生成したCAIフィールドをDCIに追加し、現在のスケジューリングキャリアを用いてDCIをUEに送信する。本発明では、基地局によってUEに送信され、キャリアスケジューリング指示を実行するために使用されるCAIフィールドは、すべてのスケジューリングキャリアの総量および現在のスケジューリングキャリアの累積指標値を示すか、または、現在のスケジューリングキャリアの前のスケジューリングキャリアの番号および現在のスケジューリングキャリアの次のスケジューリングキャリアの番号を示し、つまり、本発明のCAIフィールドは、スケジューリングキャリアのスケジューリング情報を示す。しかしながら、従来技術では、基地局によってUEに送信され、キャリアスケジューリング指示を実行するために使用されるDAI2フィールドは、現在のスケジューリングキャリアとは異なるすべての構成キャリアに関して各構成キャリアのスケジューリングステータスを示す。基地局のスケジューリングキャリアの総量は、基地局の構成キャリアの総量以下である。したがって、従来技術と比較して、基地局が、比較的大量のキャリアを構成する場合、本発明の実施形態で提供される方法に従って基地局により生成されるCAIフィールドは、比較的少量のビットを含む。このようにして、DCIフィールドの長さは短くなり、シグナリングオーバーヘッドは低減される。
【００５３】
本発明の実施形態または従来技術の技術的解決策をより明確に説明するために、以下では、実施形態または従来技術を説明するために必要な添付図面について簡単に紹介する。明らかに、以下の説明の添付図面は、本発明の一部の実施形態を示しているに過ぎず、当業者は、創造的な努力なしにこれらの添付図面から他の図面をさらに得ることができる。
【図面の簡単な説明】
【００５４】
【図１】本発明の実施形態に係る基地局の概略構成図である。
【図２】本発明の別の実施形態に係るUEの概略構成図である。
【図３】本発明の別の実施形態に係る別のUEの概略構成図である。
【図４】本発明の別の実施形態に係るキャリアスケジューリング指示方法のフローチャートである。
【図５】本発明の別の実施形態に係るキャリアスケジューリング指示方法のフローチャートである。
【図６】本発明の別の実施形態に係るキャリアスケジューリング指示方法のフローチャートである。
【図７】本発明の別の実施形態に係る別のキャリアスケジューリング指示方法のフローチャートである。
【図８】本発明の別の実施形態に係る別のキャリアスケジューリング指示方法のフローチャートである。
【図９】本発明の別の実施形態に係る別のキャリアスケジューリング指示方法のフローチャートである。
【図１０】本発明の別の実施形態に係る基地局の概略構成図である。
【図１１】本発明の別の実施形態に係るUEの概略構成図である。
【発明を実施するための形態】
【００５５】
以下では、本発明の実施形態の添付図面を参照しながら本発明の実施形態の技術的解決策を明確かつ完全に説明する。明らかに、説明されている実施形態は、本発明の実施形態のすべてではなく、その一部に過ぎない。創造的な努力なしに本発明の実施形態に基づいて当業者によって得られる他のすべての実施形態は、本発明の保護範囲内に入るものとする。
【００５６】
さらに、「システム」および「ネットワーク」という用語は、本明細書では交換可能に使用することができる。
【００５７】
本発明の実施形態における「
【数４１】
2019169959.tif 000043
」は、切り上げを表す。
【００５８】
本発明の実施形態は、基地局を提供する。図1に示すように、基地局は、処理ユニット11および送信ユニット12を含む。
【００５９】
処理ユニット11は、すべての構成キャリアのスケジューリングステータスに従って、現在のスケジューリングキャリアのキャリア割当指示（Carrier Assignment Indication、略してCAI）フィールドを生成するように構成される。
【００６０】
CAIフィールドは、すべての構成キャリア中のスケジューリングキャリアの総量および現在のスケジューリングキャリアの累積指標値Mを示すために使用され、Mは、現在のスケジューリングキャリアが、最初の構成キャリアから現在のスケジューリングキャリアまででM番目のスケジューリングキャリアであることを示すか、または、CAIフィールドは、現在のスケジューリングキャリアの前のスケジューリングキャリアの番号および現在のスケジューリングキャリアの次のスケジューリングキャリアの番号を示すために使用される。
【００６１】
送信ユニット12は、処理ユニット11によって生成されたCAIフィールドをDCIに追加し、現在のスケジューリングキャリアを用いてDCIをUEに送信するように構成される。
【００６２】
Mは、1以上の整数である。
【００６３】
本発明の本実施形態では、さらに、CAIフィールドが、すべての構成キャリア中のスケジューリングキャリアの総量および現在のスケジューリングキャリアの累積指標値Mを示すために使用される場合、
処理ユニット11は、スケジューリングキャリアの総量を取得し、Mを取得し、スケジューリングキャリアの総量および第1の予め設定されたマッピング関係に従って第1のコードを取得し、Mおよび第2の予め設定されたマッピング関係に従って第2のコードを取得し、第1のコードと第2のコードとを組み合わせてCAIフィールドを生成するように特に構成され、この場合、
第1のマッピング関係は、スケジューリングキャリアの総量に対応する第1のコードを示すために使用され、第2のマッピング関係は、Mに対応する第2のコードを示すために使用される。
【００６４】
任意選択で、第1のコードおよび第2のコードのビット量のいずれも、
【数４２】
2019169959.tif 000044
である。
【００６５】
Nは、すべての構成キャリアの総量であり、
【数４３】
2019169959.tif 000045
は、log2Nを切り上げた後に得られる値を表す。
【００６６】
本発明の本実施形態では、さらに、処理ユニット11は、スケジューリングキャリアの総量および第1の予め設定されたマッピング関係に従って第1のコードを取得し、Mおよび第2の予め設定されたマッピング関係に従って第2のコードを取得する前に、
【数４４】
2019169959.tif 000046
が2より大きいかどうかを判定するようにさらに構成され、
処理ユニット11は、
【数４５】
2019169959.tif 000047
が2より大きくない場合に、スケジューリングキャリアの総量および第1のマッピング関係に従って第1のコードを取得し、Mおよび第2のマッピング関係に従って第2のコードを取得するように特に構成される。
【００６７】
本発明の本実施形態では、さらに、処理ユニット11は、
【数４６】
2019169959.tif 000048
が2より大きい場合に、スケジューリングキャリアの総量および第1のマッピング関係に従って第1のコードを取得し、Mおよび第3の予め設定されたマッピング関係に従って第3のコードを取得し、第1のコードと第3のコードとを組み合わせてCAIフィールドを生成するようにさらに構成される。
【００６８】
第3のマッピング関係は、Mに対応する第3のコードを示すために使用され、第3のコードのビット量は、第2のコードのビット量よりも少ない。
【００６９】
本発明の本実施形態では、さらに、CAIフィールドが、第1のコードおよび第2のコードに従って生成される場合、CAIフィールドのビット量は、
【数４７】
2019169959.tif 000049
である。
【００７０】
第1のコードは、CAIフィールドの最初の
【数４８】
2019169959.tif 000050
ビットに配置され、第2のコードは、CAIフィールドの最後の
【数４９】
2019169959.tif 000051
ビットに配置されるか、または、第1のコードは、CAIフィールドの最後の
【数５０】
2019169959.tif 000052
ビットに配置され、第2のコードは、CAIフィールドの最初の
【数５１】
2019169959.tif 000053
ビットに配置される。
【００７１】
本発明の本実施形態では、さらに、CAIフィールドが、第1のコードおよび第3のコードに従って生成される場合、CAIフィールドのビット量は、
【数５２】
2019169959.tif 000054
である。
【００７２】
aは、2以上かつ
【数５３】
2019169959.tif 000055
未満の整数である。第1のコードは、CAIフィールドの最初の
【数５４】
2019169959.tif 000056
ビットに配置され、第3のコードは、CAIフィールドの最後のaビットに配置されるか、または、第1のコードは、CAIフィールドの最後の
【数５５】
2019169959.tif 000057
ビットに配置され、第3のコードは、CAIフィールドの最初のaビットに配置される。
【００７３】
本発明の本実施形態では、さらに、CAIフィールドが、現在のスケジューリングキャリアの前のスケジューリングキャリアの番号および現在のスケジューリングキャリアの次のスケジューリングキャリアの番号を示すために使用される場合、
処理ユニット11は、現在のスケジューリングキャリアの前のスケジューリングキャリアの番号および現在のスケジューリングキャリアの次のスケジューリングキャリアの番号を取得し、前のスケジューリングキャリアの番号、次のスケジューリングキャリアの番号、および第4の予め設定されたマッピング関係に従ってCAIフィールドを生成するように特に構成される。
【００７４】
本発明の本実施形態では、さらに、第4のマッピング関係は、前のスケジューリングキャリアの番号に対応する第4のコードおよび次のスケジューリングキャリアの番号に対応する第5のコードを示すために使用され、
処理ユニット11は、前のスケジューリングキャリアの番号および第4のマッピング関係に従って第4のコードを取得し、次のスケジューリングキャリアの番号および第4のマッピング関係に従って第5のコードを取得し、第4のコードと第5のコードとを組み合わせてCAIフィールドを生成するように特に構成される。
【００７５】
本発明の本実施形態では、さらに、第4のマッピング関係が、前のスケジューリングキャリアの番号および次のスケジューリングキャリアの番号に対してジョイントコーディングを実行した結果として取得される第6のコードを示すために使用され、第6のコードのビット量は、第4のコードのビット量と第5のコードのビット量との合計よりも少なく、
処理ユニット11は、前のスケジューリングキャリアの番号、次のスケジューリングキャリアの番号、および第4のマッピング関係に従って第6のコードを取得し、第6のコードをCAIフィールドとして使用するように特に構成される。
【００７６】
本発明の本実施形態では、さらに、CAIフィールドが、第4のコードおよび第5のコードに従って生成される場合、CAIフィールドのビット量は、
【数５６】
2019169959.tif 000058
である。
【００７７】
第4のコードは、CAIフィールドの最初の
【数５７】
2019169959.tif 000059
ビットに配置され、第5のコードは、CAIフィールドの最後の
【数５８】
2019169959.tif 000060
ビットに配置されるか、または、第4のコードは、CAIフィールドの最後の
【数５９】
2019169959.tif 000061
ビットに配置され、第5のコードは、CAIフィールドの最初の
【数６０】
2019169959.tif 000062
ビットに配置される。
【００７８】
本発明の本実施形態では、さらに、第6のコードが、CAIフィールドとして使用される場合、CAIフィールドのビット量は、
【数６１】
2019169959.tif 000063
であってもよい。第6のコードの具体的な符号化方式については、以下の明細書で図9に関して説明される、本発明の実施態様を参照されたい。
【００７９】
本発明の本実施形態の基地局の機能モジュールの具体的な動作プロセスについては、方法の実施形態の対応するプロセスの具体的な説明を参照することとし、本発明の本実施形態では、詳細は説明しないことに留意されたい。
【００８０】
本発明の本実施形態で提供される基地局によれば、基地局によって構成されたすべての構成キャリアのスケジューリングステータスに従って現在のスケジューリングキャリアのCAIフィールドを生成した後に、基地局は、生成したCAIフィールドをDCIに追加し、現在のスケジューリングキャリアを用いてDCIをUEに送信する。本発明では、基地局によってUEに送信され、キャリアスケジューリング指示を実行するために使用されるCAIフィールドは、すべてのスケジューリングキャリアの総量および現在のスケジューリングキャリアの累積指標値を示すか、または、現在のスケジューリングキャリアの前のスケジューリングキャリアの番号および現在のスケジューリングキャリアの次のスケジューリングキャリアの番号を示し、つまり、本発明のCAIフィールドは、スケジューリングキャリアのスケジューリング情報を示す。しかしながら、従来技術では、基地局によってUEに送信され、キャリアスケジューリング指示を実行するために使用されるDAI2フィールドは、現在のスケジューリングキャリアとは異なるすべての構成キャリアに関して各構成キャリアのスケジューリングステータスを示す。基地局のスケジューリングキャリアの総量は、基地局の構成キャリアの総量以下である。したがって、従来技術と比較して、基地局が、比較的大量のキャリアを構成する場合、本発明の実施形態で提供される方法に従って基地局により生成されるCAIフィールドは、比較的少量のビットを含む。このようにして、DCIフィールドの長さは短くなり、シグナリングオーバーヘッドは低減される。
【００８１】
本発明の別の実施形態は、UEを提供する。図2に示すように、UEは、受信ユニット21および処理ユニット22を含んでもよい。
【００８２】
受信ユニット21は、少なくとも1つの現在のスケジューリングキャリアを用いて基地局によって送信された、キャリア割当指示CAIフィールドを運ぶダウンリンク制御情報DCIを受信するように構成される。
【００８３】
CAIフィールドは、基地局によって構成されたすべての構成キャリア中のスケジューリングキャリアの総量および現在のスケジューリングキャリアの累積指標値Mを示すために使用され、Mは、現在のスケジューリングキャリアが、最初の構成キャリアから現在のスケジューリングキャリアまででM番目のスケジューリングキャリアであることを示すか、または、CAIフィールドは、現在のスケジューリングキャリアの前のスケジューリングキャリアの番号および現在のスケジューリングキャリアの次のスケジューリングキャリアの番号を示すために使用される。
【００８４】
処理ユニット22は、受信ユニット21によって受信されたDCI内のCAIフィールドを取得して、すべての構成キャリアのスケジューリングステータスを学習するように構成される。
【００８５】
本発明の本実施形態では、さらに、図3に示すように、UEは、送信ユニット23をさらに含んでもよい。
【００８６】
送信ユニット23は、処理ユニット22がDCI内のCAIフィールドを取得した後に、ハイブリッド自動再送要求HARQ情報を基地局に送信するように構成される。
【００８７】
HARQ情報は、すべてのスケジューリングキャリアを用いて基地局によって送信されたデータをUEが正しく受信したかどうかをフィードバックするために使用され、HARQ情報のビット量は、すべてのスケジューリングキャリアを用いて送信されたデータが正しく受信されたかどうかをフィードバックするために必要なビット量の合計に等しい。
【００８８】
本発明の本実施形態では、さらに、CAIフィールドが、基地局によって構成されたすべての構成キャリア中のスケジューリングキャリアの総量および現在のスケジューリングキャリアの累積指標値Mを示すために使用される場合、
可能な実施態様では、CAIフィールドは、第1のコードおよび第2のコードを含み、第1のコードは、スケジューリングキャリアの総量および第1の予め設定されたマッピング関係に従って基地局によって取得されるコードであり、第1のマッピング関係は、スケジューリングキャリアの総量に対応する第1のコードを示すために使用され、第2のコードは、Mおよび第2の予め設定されたマッピング関係に従って基地局によって取得されるコードであり、第2のマッピング関係は、Mに対応する第2のコードを示すために使用されるか、または
別の可能な実施態様では、CAIフィールドは、第1のコードおよび第3のコードを含み、第3のコードは、Mおよび第3の予め設定されたマッピング関係に従って基地局によって取得されるコードであり、第3のマッピング関係は、Mに対応する第3のコードを示すために使用され、第3のコードのビット量は、第2のコードのビット量よりも少ない。
【００８９】
本発明の本実施形態では、さらに、CAIフィールドが、現在のスケジューリングキャリアの前のスケジューリングキャリアの番号および現在のスケジューリングキャリアの次のスケジューリングキャリアの番号を示すために使用される場合、
可能な実施態様では、CAIフィールドは、第4のコードおよび第5のコードを含み、第4のコードは、前のスケジューリングキャリアの番号および第4の予め設定されたマッピング関係に従って基地局によって取得されるコードであり、第5のコードは、次のスケジューリングキャリアの番号および第4のマッピング関係に従って基地局によって取得されるコードであり、第4のマッピング関係は、前のスケジューリングキャリアの番号に対応する第4のコードおよび次のスケジューリングキャリアの番号に対応する第5のコードを示すために使用されるか、または
別の可能な実施態様では、CAIフィールドは、第6のコードであり、第6のコードは、前のスケジューリングキャリアの番号、次のスケジューリングキャリアの番号、および第4の予め設定されたマッピング関係に従って基地局によって取得されるコードであり、第4のマッピング関係は、前のスケジューリングキャリアの番号および次のスケジューリングキャリアの番号に対してジョイントコーディングを実行した結果として取得される第6のコードを示すために使用される。
【００９０】
本発明の本実施形態では、さらに、処理ユニット22は、CAIフィールドに従って、スケジューリングキャリアの総量および少なくとも1つの現在のスケジューリングキャリアの累積指標値Mを求めるようにさらに構成され、
送信ユニット23は、処理ユニット22によって求められたスケジューリングキャリアの総量および少なくとも1つの現在のスケジューリングキャリアの累積指標値Mに従ってHARQ情報を基地局に送信するように特に構成される。
【００９１】
本発明の本実施形態では、さらに、処理ユニット22は、CAIフィールドに従って、少なくとも1つの現在のスケジューリングキャリアの前のスケジューリングキャリアの番号および少なくとも1つの現在のスケジューリングキャリアの次のスケジューリングキャリアの番号を求め、少なくとも1つの現在のスケジューリングキャリアの前のスケジューリングキャリアの番号および少なくとも1つの現在のスケジューリングキャリアの次のスケジューリングキャリアの番号に従って、スケジューリングキャリアの総量を求めるようにさらに構成され、
送信ユニット23は、処理ユニット22によって求められたスケジューリングキャリアの総量、少なくとも1つの現在のスケジューリングキャリアの前のスケジューリングキャリアの番号、および少なくとも1つの現在のスケジューリングキャリアの次のスケジューリングキャリアの番号に従って、HARQ情報を基地局に送信するように特に構成される。
【００９２】
本発明の本実施形態では、さらに、CAIフィールドが、第1のコードおよび第2のコードを含む場合、
処理ユニット22は、CAIフィールドに関して、第1のマッピング関係および第1のコードに従ってスケジューリングキャリアの総量を取得し、第2のマッピング関係および第2のコードに従ってMを取得するように特に構成される。
【００９３】
本発明の本実施形態では、さらに、CAIフィールドが、第1のコードおよび第3のコードを含む場合、
処理ユニット22は、CAIフィールドに関して、第1のマッピング関係および第1のコードに従ってスケジューリングキャリアの総量を取得し、第3のマッピング関係および第3のコードに従ってMを取得するように特に構成される。
【００９４】
本発明の本実施形態では、さらに、CAIフィールドが、第4のコードおよび第5のコードを含む場合、
処理ユニット22は、CAIフィールドに関して、第4のコードおよび第4のマッピング関係に従って前のスケジューリングキャリアの番号を取得し、第5のコードおよび第4のマッピング関係に従って次のスケジューリングキャリアの番号を取得するように特に構成される。
【００９５】
本発明の本実施形態では、さらに、CAIフィールドが、第6のコードである場合、
処理ユニット22は、CAIフィールドに関して、第6のコードおよび第4のマッピング関係に従って前のスケジューリングキャリアの番号および次のスケジューリングキャリアの番号を取得するように特に構成される。
【００９６】
本発明の本実施形態のUEの機能モジュールの具体的な動作プロセスについては、方法の実施形態の対応するプロセスの具体的な説明を参照することとし、本発明の本実施形態では、詳細は説明しないことに留意されたい。
【００９７】
本発明の本実施形態で提供されるUEによれば、UEは、少なくとも1つの現在のスケジューリングキャリアを用いて基地局によって送信された、CAIフィールドを運ぶDCIを受信し、DCI内のCAIフィールドを取得して、すべての構成キャリアのスケジューリングステータスを学習する。本発明では、UEによって受信されるCAIフィールドは、基地局によって構成されたすべての構成キャリア中のスケジューリングキャリアの総量および現在のスケジューリングキャリアの累積指標値を示すか、または、現在のスケジューリングキャリアの前のスケジューリングキャリアの番号および現在のスケジューリングキャリアの次のスケジューリングキャリアの番号を示し、つまり、本発明のCAIフィールドは、スケジューリングキャリアのスケジューリング情報を示す。しかしながら、従来技術では、基地局によってUEに送信され、キャリアスケジューリング指示を実行するために使用されるDAI2フィールドは、現在のスケジューリングキャリアとは異なるすべての構成キャリアに関して各構成キャリアのスケジューリングステータスを示す。基地局のスケジューリングキャリアの総量は、基地局の構成キャリアの総量以下である。したがって、従来技術と比較して、基地局が、比較的大量のキャリアを構成する場合、本発明の実施形態で提供される方法に従って基地局により生成されるCAIフィールドは、比較的少量のビットを含む。このようにして、DCIフィールドの長さは短くなり、シグナリングオーバーヘッドは低減される。
【００９８】
さらに、本発明の実施形態で提供されるキャリアスケジューリング指示に基づいて、UEは、基地局のスケジューリングキャリアの総量に従って、基地局に送信されるHARQ情報のビット量を決定することができる。基地局のスケジューリングキャリアの総量は、基地局の構成キャリアの総量以下であるため、すべての構成キャリアの総量に従って、基地局に送信されるHARQ情報のビット量をUEが決定する従来技術と比較して、HARQ情報のビット量は低減され、シグナリングオーバーヘッドは低減される。
【００９９】
本発明の別の実施形態は、キャリアスケジューリング指示方法を提供する。図4に示すように、本方法は、以下のプロセスを含んでもよい。
【０１００】
S301：基地局は、基地局によって構成されたすべての構成キャリアのスケジューリングステータスに従って、現在のスケジューリングキャリアのCAIフィールドを生成する。
【０１０１】
可能な実施態様では、CAIフィールドは、すべての構成キャリア中のスケジューリングキャリアの総量および現在のスケジューリングキャリアの累積指標値Mを示すために使用され、Mは、現在のスケジューリングキャリアが、最初の構成キャリアから現在のスケジューリングキャリアまででM番目のスケジューリングキャリアであることを示し、Mは、1以上の整数である。例示的には、現在のスケジューリングキャリアの累積指標値が5である場合、それは、現在のスケジューリングキャリアが、最初の構成キャリアから5番目のスケジューリングキャリアであることを示す。
【０１０２】
別の可能な実施態様では、CAIフィールドは、現在のスケジューリングキャリアの前のスケジューリングキャリアの番号および現在のスケジューリングキャリアの次のスケジューリングキャリアの番号を示すために使用される。
【０１０３】
S302：基地局は、CAIフィールドをDCIに追加し、現在のスケジューリングキャリアを用いてDCIをUEに送信する。
【０１０４】
基地局によって構成されたすべての構成キャリアのスケジューリングステータスに従って現在のスケジューリングキャリアのCAIフィールドを生成した後に、基地局は、生成したCAIフィールドをDCIに追加し、現在のスケジューリングキャリアを用いてDCIをUEに送信する。
【０１０５】
本発明の本実施形態で提供されるキャリアスケジューリング指示方法によれば、基地局によって構成されたすべての構成キャリアのスケジューリングステータスに従って現在のスケジューリングキャリアのCAIフィールドを生成した後に、基地局は、生成したCAIフィールドをDCIに追加し、現在のスケジューリングキャリアを用いてDCIをUEに送信する。本発明では、基地局によってUEに送信され、キャリアスケジューリング指示を実行するために使用されるCAIフィールドは、すべてのスケジューリングキャリアの総量および現在のスケジューリングキャリアの累積指標値を示すか、または、現在のスケジューリングキャリアの前のスケジューリングキャリアの番号および現在のスケジューリングキャリアの次のスケジューリングキャリアの番号を示し、つまり、本発明のCAIフィールドは、スケジューリングキャリアのスケジューリング情報を示す。しかしながら、従来技術では、基地局によってUEに送信され、キャリアスケジューリング指示を実行するために使用されるDAI2フィールドは、現在のスケジューリングキャリアとは異なるすべての構成キャリアに関して各構成キャリアのスケジューリングステータスを示す。基地局のスケジューリングキャリアの総量は、基地局の構成キャリアの総量以下である。したがって、従来技術と比較して、基地局が、比較的大量のキャリアを構成する場合、本発明の本実施形態で提供される方法に従って基地局により生成されるCAIフィールドは、比較的少量のビットを含む。このようにして、DCIフィールドの長さは短くなり、シグナリングオーバーヘッドは低減される。
【０１０６】
さらに、S301において、基地局によって生成された現在のスケジューリングキャリアのCAIフィールドが、すべての構成キャリア中のスケジューリングキャリアの総量および現在のスケジューリングキャリアの累積指標値Mを示すために使用される場合、第1の可能な実施態様では、CAIフィールドを生成する特定のプロセスは（すなわち、S301は特に）、基地局によってすべての構成キャリア中のスケジューリングキャリアの総量を取得し、現在のスケジューリングキャリアの累積指標値Mを取得し、スケジューリングキャリアの総量および第1の予め設定されたマッピング関係に従って第1のコードを取得し、現在のスケジューリングキャリアの累積指標Mおよび第2の予め設定されたマッピング関係に従って第2のコードを取得し、第1のコードと第2のコードとを組み合わせてCAIフィールドを生成する（してもよい）。第1のマッピング関係は、スケジューリングキャリアの総量に対応する第1のコードを示すために使用され、第2のマッピング関係は、現在のスケジューリングキャリアの累積指標Mに対応する第2のコードを示すために使用される。
【０１０７】
例示的には、第1のコードは、すべての構成キャリア中のスケジューリングキャリアの総量に対してバイナリ符号化を実行した結果として取得されてもよい。同様に、第2のコードは、現在のスケジューリングキャリアの累積指標値Mに対してバイナリ符号化を実行した結果として取得されてもよい。
【０１０８】
第1のコードおよび第2のコードに従って基地局により生成されるCAIフィールドのビット量は、
【数６２】
2019169959.tif 000064
であり、Nは、すべての構成キャリアの総量であり、
【数６３】
2019169959.tif 000065
は、log2Nを切り上げた後に得られる値を表す。可能な実施態様では、基地局によって取得された第1のコードは、CAIフィールドの最初の
【数６４】
2019169959.tif 000066
ビットに配置され、取得された第2のコードは、CAIフィールドの最後の
【数６５】
2019169959.tif 000067
ビットに配置される。別の可能な実施態様では、基地局によって取得された第1のコードは、CAIフィールドの最後の
【数６６】
2019169959.tif 000068
ビットに配置され、取得された第2のコードは、CAIフィールドの最初の
【数６７】
2019169959.tif 000069
ビットに配置される。
【０１０９】
さらに、基地局の構成キャリアの量が比較的大きい場合にCAIフィールドの長さを可能な限り短くするために、第2の可能な実施態様では、基地局が、スケジューリングキャリアの総量および第1の予め設定されたマッピング関係に従って第1のコードを取得し、現在のスケジューリングキャリアの累積指標Mおよび第2の予め設定されたマッピング関係に従って第2のコードを取得する前に、基地局は、
【数６８】
2019169959.tif 000070
が2より大きいかどうかをまず判定してもよく、
【数６９】
2019169959.tif 000071
が2より大きくないと基地局が判定した場合、すべての構成キャリア中のスケジューリングキャリアの総量を取得し、現在のスケジューリングキャリアの累積指標値Mを取得した後に、基地局は、スケジューリングキャリアの総量および第1の予め設定されたマッピング関係に従って第1のコードを取得し、現在のスケジューリングキャリアの累積指標Mおよび第2の予め設定されたマッピング関係に従って第2のコードを取得し、第1のコードと第2のコードとを組み合わせてCAIフィールドを生成し、
【数７０】
2019169959.tif 000072
が2より大きいと基地局が判定した場合、すべての構成キャリア中のスケジューリングキャリアの総量を取得し、現在のスケジューリングキャリアの累積指標値Mを取得した後に、基地局は、スケジューリングキャリアの総量および第1の予め設定されたマッピング関係に従って第1のコードを取得し、現在のスケジューリングキャリアの累積指標Mおよび第3の予め設定されたマッピング関係に従って第3のコードを取得し、第1のコードと第3のコードとを組み合わせてCAIフィールドを生成する。第3のマッピング関係は、現在のスケジューリングキャリアの累積指標Mに対応する第3のコードを示すために使用され、第3のコードのビット量は、第2のコードのビット量よりも少ない。
【０１１０】
任意選択で、第1のコードと第2のコードとを組み合わせることによって基地局により生成されるCAIフィールドのビット量は、
【数７１】
2019169959.tif 000073
であり、なお、aは、2以上かつ
【数７２】
2019169959.tif 000074
未満の整数である。好ましくは、CAIフィールドのビット量は、
【数７３】
2019169959.tif 000075
であってもよい。可能な実施態様では、基地局によって取得された第1のコードは、CAIフィールドの最初の
【数７４】
2019169959.tif 000076
ビットに配置され、取得された第3のコードは、CAIフィールドの最後のaビットに配置される。別の可能な実施態様では、基地局によって取得された第1のコードは、CAIフィールドの最後の
【数７５】
2019169959.tif 000077
ビットに配置され、取得された第3のコードは、CAIフィールドの最初のaビットに配置される。第3のコードの具体的な符号化方式については、以下の明細書で図7に関して説明される、本発明の実施態様を参照されたい。
【０１１１】
さらに、基地局によって生成される、現在のスケジューリングキャリアのCAIフィールドが、現在のスケジューリングキャリアの前のスケジューリングキャリアの番号および現在のスケジューリングキャリアの次のスケジューリングキャリアの番号を示すために使用される場合、CAIフィールドを生成する特定のプロセス（すなわち、S301）は、基地局によって、現在のスケジューリングキャリアの前のスケジューリングキャリアの番号および現在のスケジューリングキャリアの次のスケジューリングキャリアの番号を取得し、前のスケジューリングキャリアの番号、次のスケジューリングキャリアの番号、および第4の予め設定されたマッピング関係に従ってCAIフィールドを生成してもよい。
【０１１２】
さらに、第1の可能な実施態様では、第4のマッピング関係は、前のスケジューリングキャリアの番号に対応する第4のコードおよび次のスケジューリングキャリアの番号に対応する第5のコードを示すために使用される。
すなわち、基地局は、現在のスケジューリングキャリアのCAIフィールドを取得するために、前のスケジューリングキャリアの番号と次のスケジューリングキャリアの番号とを別々に符号化してもよい。このようにして、基地局によって、前のスケジューリングキャリアの番号、次のスケジューリングキャリアの番号、および第4の予め設定されたマッピング関係に従ってCAIフィールドを生成する特定のプロセスは、基地局によって、前のスケジューリングキャリアの番号および第4のマッピング関係に従って第4のコードを取得し、次のスケジューリングキャリアの番号および第4のマッピング関係に従って第5のコードを取得し、取得した第4のコードと第5のコードとを組み合わせてCAIフィールドを生成してもよい。
【０１１３】
例示的には、第4のコードは、前のスケジューリングキャリアの番号に対してバイナリ符号化を実行した結果として取得されてもよい。同様に、第5のコードは、次のスケジューリングキャリアの番号に対してバイナリ符号化を実行した結果として取得されてもよい。
【０１１４】
CAIフィールドのビット量は、
【数７６】
2019169959.tif 000078
であってもよい。可能な実施態様では、基地局によって取得された第4のコードは、CAIフィールドの最初の
【数７７】
2019169959.tif 000079
ビットに配置され、第5のコードは、CAIフィールドの最後の
【数７８】
2019169959.tif 000080
ビットに配置される。別の可能な実施態様では、基地局によって取得された第4のコードは、CAIフィールドの最後の
【数７９】
2019169959.tif 000081
ビットに配置され、第5のコードは、CAIフィールドの最初の
【数８０】
2019169959.tif 000082
ビットに配置される。
【０１１５】
さらに、基地局の構成キャリアの量が比較的大きい場合にCAIフィールドの長さを可能な限り短くするために、第2の可能な実施態様では、第4のマッピング関係が、前のスケジューリングキャリアの番号および次のスケジューリングキャリアの番号に対してジョイントコーディングを実行した結果として取得される第6のコードを示すために使用され、第6のコードのビット量は、第4のコードのビット量と第5のコードのビット量との合計よりも少ない。すなわち、基地局は、現在のスケジューリングキャリアのCAIフィールドを取得するために、前のスケジューリングキャリアの番号および次のスケジューリングキャリアの番号に対してジョイントコーディングを実行してもよい。このようにして、基地局によって、前のスケジューリングキャリアの番号、次のスケジューリングキャリアの番号、および第4の予め設定されたマッピング関係に従ってCAIフィールドを生成する特定のプロセスは、基地局によって、前のスケジューリングキャリアの番号、次のスケジューリングキャリアの番号、および第4のマッピング関係に従って第6のコードを取得し、第6のコードをCAIフィールドとして使用してもよい。
【０１１６】
この場合、CAIフィールドのビット量は、
【数８１】
2019169959.tif 000083
であってもよい。第6のコードの具体的な符号化方式については、以下の明細書で図9に関して説明される、本発明の実施態様を参照されたい。
【０１１７】
本発明の別の実施形態は、キャリアスケジューリング指示方法を提供する。図5に示すように、本方法は、以下のプロセスを含んでもよい。
【０１１８】
S401：UEは、少なくとも1つの現在のスケジューリングキャリアを用いて基地局によって送信された、CAIフィールドを運ぶDCIを受信する。
【０１１９】
可能な実施態様では、CAIフィールドは、基地局によって構成されたすべての構成キャリア中のスケジューリングキャリアの総量および現在のスケジューリングキャリアの累積指標値Mを示すために使用され、Mは、現在のスケジューリングキャリアが、最初の構成キャリアから現在のスケジューリングキャリアまででM番目のスケジューリングキャリアであることを示し、Mは、1以上の整数である。別の可能な実施態様では、CAIフィールドは、現在のスケジューリングキャリアの前のスケジューリングキャリアの番号および現在のスケジューリングキャリアの次のスケジューリングキャリアの番号を示すために使用される。
【０１２０】
S402：UEは、DCI内のCAIフィールドを取得して、すべての構成キャリアのスケジューリングステータスを学習する。
【０１２１】
少なくとも1つの現在のスケジューリングキャリアを用いて基地局によって送信された、CAIフィールドを運ぶDCIを受信した後に、UEは、すべての受信したDCI内のCAIフィールドを取得して、基地局によって構成されたすべての構成キャリアのスケジューリングステータスを学習してもよい。
【０１２２】
本発明の本実施形態で提供されるキャリアスケジューリング指示方法によれば、UEは、少なくとも1つの現在のスケジューリングキャリアを用いて基地局によって送信された、CAIフィールドを運ぶDCIを受信し、DCI内のCAIフィールドを取得して、すべての構成キャリアのスケジューリングステータスを学習する。本発明では、UEによって受信されるCAIフィールドは、基地局によって構成されたすべての構成キャリア中のスケジューリングキャリアの総量および現在のスケジューリングキャリアの累積指標値を示すか、または、現在のスケジューリングキャリアの前のスケジューリングキャリアの番号および現在のスケジューリングキャリアの次のスケジューリングキャリアの番号を示し、つまり、本発明のCAIフィールドは、スケジューリングキャリアのスケジューリング情報を示す。しかしながら、従来技術では、基地局によってUEに送信され、キャリアスケジューリング指示を実行するために使用されるDAI2フィールドは、現在のスケジューリングキャリアとは異なるすべての構成キャリアに関して各構成キャリアのスケジューリングステータスを示す。基地局のスケジューリングキャリアの総量は、基地局の構成キャリアの総量以下である。したがって、従来技術と比較して、基地局が、比較的大量のキャリアを構成する場合、本発明の本実施形態で提供される方法に従って基地局により生成されるCAIフィールドは、比較的少量のビットを含む。このようにして、DCIフィールドの長さは短くなり、シグナリングオーバーヘッドは低減される。
【０１２３】
DCI内のCAIフィールドを取得し、すべての構成キャリアのスケジューリングステータスを学習した後に、UEは、DCI内のCAIフィールドに従ってデータを受信してもよい。データ送信の信頼性を保証するために、UEは、すべてのスケジューリングキャリアを用いて基地局によって送信されたデータをUEが正しく受信したかどうかをフィードバックするために、HARQ情報を基地局に送信してもよい。したがって、さらに、S402が実行された後に、すなわち、UEがDCI内のCAIフィールドを取得した後に、UEは、HARQ情報を基地局に送信してもよい。
【０１２４】
HARQ情報は、すべてのスケジューリングキャリアを用いて基地局によって送信されたデータをUEが正しく受信したかどうかをフィードバックするために使用され、HARQ情報のビット量は、すべてのスケジューリングキャリアを用いて送信されたデータが正しく受信されたかどうかをフィードバックするために必要なビット量の合計に等しい。
【０１２５】
さらに、S401でUEによって受信されるDCI内で運ばれるCAIフィールドが、基地局によって構成されたすべての構成キャリア中のスケジューリングキャリアの総量および現在のスケジューリングキャリアの累積指標値Mを示すために使用される場合、第1の可能な実施態様では、UEによって受信されるDCI内で運ばれるCAIフィールドは、第1のコードおよび第2のコードを含む。
【０１２６】
第1のコードは、スケジューリングキャリアの総量および第1の予め設定されたマッピング関係に従って基地局によって取得されるコードであり、第1のマッピング関係は、スケジューリングキャリアの総量に対応する第1のコードを示すために使用される。第2のコードは、Mおよび第2の予め設定されたマッピング関係に従って基地局によって取得されるコードであり、第2のマッピング関係は、Mに対応する第2のコードを示すために使用される。
【０１２７】
例示的には、第1のコードは、すべての構成キャリア中のスケジューリングキャリアの総量に対してバイナリ符号化を実行した結果として取得されてもよい。同様に、第2のコードは、現在のスケジューリングキャリアの累積指標値Mに対してバイナリ符号化を実行した結果として取得されてもよい。
【０１２８】
第2の可能な実施態様では、UEによって受信されるDCI内で運ばれるCAIフィールドは、第1のコードおよび第3のコードを含む。
【０１２９】
第1のコードは、スケジューリングキャリアの総量および第1の予め設定されたマッピング関係に従って基地局によって取得されるコードであり、第1のマッピング関係は、スケジューリングキャリアの総量に対応する第1のコードを示すために使用される。第3のコードは、Mおよび第3の予め設定されたマッピング関係に従って基地局によって取得されるコードであり、第3のマッピング関係は、Mに対応する第3のコードを示すために使用される。第3のコードのビット量は、第2のコードのビット量よりも少ない。
【０１３０】
さらに、S401でUEによって受信されるDCI内で運ばれるCAIフィールドが、現在のスケジューリングキャリアの前のスケジューリングキャリアの番号および現在のスケジューリングキャリアの次のスケジューリングキャリアの番号を示すために使用される場合、第1の可能な実施態様では、UEによって受信されるDCI内で運ばれるCAIフィールドは、第4のコードおよび第5のコードを含む。
【０１３１】
第4のコードは、前のスケジューリングキャリアの番号および第4の予め設定されたマッピング関係に従って基地局によって取得されるコードであり、第5のコードは、次のスケジューリングキャリアの番号および第4のマッピング関係に従って基地局によって取得されるコードであり、第4のマッピング関係は、前のスケジューリングキャリアの番号に対応する第4のコードおよび次のスケジューリングキャリアの番号に対応する第5のコードを示すために使用される。
【０１３２】
例示的には、第4のコードは、前のスケジューリングキャリアの番号に対してバイナリ符号化を実行した結果として取得されてもよい。同様に、第5のコードは、次のスケジューリングキャリアの番号に対してバイナリ符号化を実行した結果として取得されてもよい。
【０１３３】
第2の可能な実施態様では、UEによって受信されるDCI内で運ばれるCAIフィールドは、第6のコードである。
【０１３４】
第6のコードは、前のスケジューリングキャリアの番号、次のスケジューリングキャリアの番号、および第4の予め設定されたマッピング関係に従って基地局によって取得されるコードであり、第4のマッピング関係は、前のスケジューリングキャリアの番号および次のスケジューリングキャリアの番号に対してジョイントコーディングを実行した結果として取得される第6のコードを示すために使用される。
【０１３５】
この場合、CAIフィールドのビット量は、
【数８２】
2019169959.tif 000084
であってもよい。第6のコードの具体的な符号化方式については、以下の明細書で図9に関して説明される、本発明の実施態様を参照されたい。
【０１３６】
さらに、可能な実施態様では、S401でUEによって受信されるDCI内で運ばれるCAIフィールドが、基地局によって構成されたすべての構成キャリア中のスケジューリングキャリアの総量および現在のスケジューリングキャリアの累積指標値Mを示すために使用される場合、UEによってHARQ情報を基地局に送信するプロセスは特に、UEによって、CAIフィールドに従ってスケジューリングキャリアの総量および少なくとも1つの現在のスケジューリングキャリアの累積指標値Mを求め、スケジューリングキャリアの総量および少なくとも1つの現在のスケジューリングキャリアの累積指標値Mに従ってHARQ情報を基地局に送信してもよい。
【０１３７】
CAIフィールドが、第1のコードおよび第2のコードを含む場合、UEによって、CAIフィールドに従ってスケジューリングキャリアの総量および少なくとも1つの現在のスケジューリングキャリアの累積指標値Mを求めるプロセスは特に、UEによって、各CAIフィールドに関して、第1のマッピング関係および第1のコードに従ってスケジューリングキャリアの総量を取得し、第2のマッピング関係および第2のコードに従ってMを取得してもよい。CAIフィールドが、第1のコードおよび第3のコードを含む場合、UEによって、CAIフィールドに従ってスケジューリングキャリアの総量および少なくとも1つの現在のスケジューリングキャリアの累積指標値Mを求めるプロセスは特に、各CAIフィールドに関して、第1のマッピング関係および第1のコードに従ってスケジューリングキャリアの総量を取得し、第3のマッピング関係および第3のコードに従ってMを取得してもよい。
【０１３８】
別の可能な実施態様では、CAIフィールドが、現在のスケジューリングキャリアの前のスケジューリングキャリアの番号および現在のスケジューリングキャリアの次のスケジューリングキャリアの番号を示すために使用される場合、UEによってHARQ情報を基地局に送信するプロセスは特に、UEによって、CAIフィールドに従って、少なくとも1つの現在のスケジューリングキャリアの前のスケジューリングキャリアの番号および少なくとも1つの現在のスケジューリングキャリアの次のスケジューリングキャリアの番号を求め、少なくとも1つの現在のスケジューリングキャリアの前のスケジューリングキャリアの番号および少なくとも1つの現在のスケジューリングキャリアの次のスケジューリングキャリアの番号に従って、スケジューリングキャリアの総量を求め、スケジューリングキャリアの総量、少なくとも1つの現在のスケジューリングキャリアの前のスケジューリングキャリアの番号、および少なくとも1つの現在のスケジューリングキャリアの次のスケジューリングキャリアの番号に従って、HARQ情報を基地局に送信してもよい。
【０１３９】
CAIフィールドが、第4のコードおよび第5のコードを含む場合、UEによって、CAIフィールドに従って、少なくとも1つの現在のスケジューリングキャリアの前のスケジューリングキャリアの番号および少なくとも1つの現在のスケジューリングキャリアの次のスケジューリングキャリアの番号を求めるプロセスは特に、UEによって、各CAIフィールドに関して、第4のコードおよび第4のマッピング関係に従って前のスケジューリングキャリアの番号を取得し、第5のコードおよび第4のマッピング関係に従って次のスケジューリングキャリアの番号を取得してもよい。CAIフィールドが、第6のコードを含む場合、UEによって、CAIフィールドに従って、少なくとも1つの現在のスケジューリングキャリアの前のスケジューリングキャリアの番号および少なくとも1つの現在のスケジューリングキャリアの次のスケジューリングキャリアの番号を求めるプロセスは特に、UEによって、各CAIフィールドに関して、第6のコードおよび第4のマッピング関係に従って前のスケジューリングキャリアの番号および次のスケジューリングキャリアの番号を取得してもよい。
【０１４０】
任意選択で、本発明におけるHARQ情報のビット量は、すべてのスケジューリングキャリアを用いて送信されたデータが正しく受信されたかどうかをフィードバックするために必要なビット量の合計に等しく、つまり、本発明におけるHARQ情報のビット量は、スケジューリングキャリアの総量に基づいて決定される。従来技術では、UEによって基地局に送信されるHARQ情報のビット量は、構成キャリアの総量に基づいて決定される。基地局のスケジューリングキャリアの総量が、基地局のスケジューリングキャリアの総量以下であり、本発明の本実施形態で提供されるキャリアスケジューリング指示に基づいて、UEは、基地局のスケジューリングキャリアの総量に従って、基地局に送信されるHARQ情報のビット量を決定することができるため、決定されたHARQ情報のビット量は、基地局の構成キャリアの総量に従って決定される、基地局に送信されるHARQ情報のビット量よりも少なくなる。このようにして、UEのフィードバックオーバーヘッドは低減される。
【０１４１】
本発明の別の実施形態は、キャリアスケジューリング指示方法を提供する。基地局によって実行されたキャリアスケジューリングをUEが学習することができるようにするために、基地局は、UEに送信されるDCIにCAIフィールドを追加してもよく、これにより、UEは、すべての受信したDCI内で運ばれたCAIフィールドに従って、基地局によって実行されたキャリアスケジューリングを学習する。当業者の理解の便宜のために、本発明の本実施形態では、第4の実施態様を除いて、本発明の特定の実施プロセスについて、異なる実施態様を参照し、基地局のすべての構成キャリアの総量が16に等しく、基地局がキャリアCC0、CC2、およびCC5をスケジューリングする例を用いて詳細に説明する。詳細は以下の通りである。
【０１４２】
第1の実施態様では、図6に示すように、本方法は、以下のプロセスを含んでもよい。
【０１４３】
S501：基地局は、すべての構成キャリア中のスケジューリングキャリアの総量を取得し、現在のスケジューリングキャリアの累積指標値Mを取得する。
【０１４４】
Mは、現在のスケジューリングキャリアが、最初の構成キャリアから現在のスケジューリングキャリアまででM番目のスケジューリングキャリアであることを示す。例示的には、基地局によってスケジューリングされたキャリアは、CC0、CC2、およびCC5である。したがって、基地局は、スケジューリングキャリアの総量3を取得し、現在のスケジューリングキャリアCC0の累積指標値は1であり、現在のスケジューリングキャリアCC2の累積指標値は2であり、現在のスケジューリングキャリアCC5の累積指標値は3である。
【０１４５】
S502：基地局は、スケジューリングキャリアの総量および第1の予め設定されたマッピング関係に従って第1のコードを取得し、現在のスケジューリングキャリアの累積指標値Mおよび第2の予め設定されたマッピング関係に従って第2のコードを取得する。
【０１４６】
第1のマッピング関係は、スケジューリングキャリアの総量に対応する第1のコードを示すために使用され、第2のマッピング関係は、Mに対応する第2のコードを示すために使用される。
【０１４７】
例示的には、基地局の構成キャリアの量が16に等しい場合、基地局における第1の予め設定されたマッピング関係は、表1に示されているものであってもよく、第2の予め設定されたマッピング関係は、表2に示されているものであってもよい。CC0に関して、基地局は、取得したスケジューリングキャリアの総量（スケジューリングキャリアの総量は3に等しい）に従って表1を検索して、第1のコード0010を取得し、取得した現在のスケジューリングキャリアCC0の累積指標値（CC0の累積指標値は1に等しい）に従って表2を検索して、第2のコード0000を取得する。CC2に関して、基地局は、第1のコード0010を取得し、取得した現在のスケジューリングキャリアCC2の累積指標値（CC0の累積指標値は2に等しい）に従って表2を検索して、第2のコード0001を取得する。CC5に関して、基地局は、第1のコード0010を取得し、取得した現在のスケジューリングキャリアCC5の累積指標値（CC0の累積指標値は3に等しい）に従って表2を検索して、第2のコード0010を取得する。
【０１４８】
本発明の本実施形態では、現在のスケジューリングキャリアのそれぞれに関して、基地局は、一度だけ第1のコードを取得し、現在のスケジューリングキャリアのそれぞれの第2のコードを取得してもよいことに留意されたい。
【０１４９】
【表１】
2019169959.tif 000085
【０１５０】
【表２】
2019169959.tif 000086
【０１５１】
本発明の本実施形態の表1および表2に含まれる値は例示に過ぎないことに留意されたい。本発明の本実施形態は、表1のスケジューリングキャリアの総量に対応する第1のコードの特定の値（すなわち、符号化方式）を限定するものではないし、表2の現在のスケジューリングキャリアの累積指標値に対応する第2のコードの特定の値（すなわち、符号化方式）を限定するものではない。スケジューリングキャリアの総量に対応する第1のコードの特定の値および現在のスケジューリングキャリアの累積指標値に対応する第2のコードの特定の値は、実際の状況の必要に応じてそれ相応に設定されてもよい。
【０１５２】
S503：基地局は、第1のコードと第2のコードとを組み合わせてCAIフィールドを生成する。
【０１５３】
CAIフィールドは、すべての構成キャリア中のスケジューリングキャリアの総量および現在のスケジューリングキャリアの累積指標値を示すために使用される。S502の例によれば、基地局のすべての構成キャリアの総量が16に等しく、CAIフィールドのビット量が
【数８３】
2019169959.tif 000087
であってもよいことから、基地局によって生成されるCAIフィールドは、8ビットを有する。さらに、生成されたCAIフィールドにおいて、第1の可能な実施態様では、第1のコードは、CAIフィールドの最初の4ビットに配置され、第2のコードは、CAIフィールドの最後の4ビットに配置され、第2の可能な実施態様では、第1のコードは、CAIフィールドの最後の4ビットに配置され、第2のコードは、CAIフィールドの最初の4ビットに配置される。
【０１５４】
例示的には、CC0に関して、第1の可能な実施態様で基地局によって生成される、CC0のCAIフィールドは、00100000であり、第2の可能な実施態様で基地局によって生成される、CC0のCAIフィールドは、00000010である。CC2に関して、第1の可能な実施態様で基地局によって生成される、CC2のCAIフィールドは、00100001であり、第2の可能な実施態様で基地局によって生成される、CC2のCAIフィールドは、00010010である。CC5に関して、第1の可能な実施態様で基地局によって生成される、CC5のCAIフィールドは、00100010であり、第2の可能な実施態様で基地局によって生成される、CC5のCAIフィールドは、00100010である。
【０１５５】
S504：基地局は、CAIフィールドをDCIに追加し、現在のスケジューリングキャリアを用いてDCIをUEに送信する。
【０１５６】
基地局は、CC0の生成されたCAIフィールドをDCIに追加し、CC0を用いてDCIをUEに送信してもよく、CC2の生成されたCAIフィールドをDCIに追加し、CC2を用いてDCIをUEに送信してもよく、CC5の生成されたCAIフィールドをDCIに追加し、CC5を用いてDCIをUEに送信してもよい。
【０１５７】
S505：UEは、少なくとも1つの現在のスケジューリングキャリアを用いて基地局によって送信された、CAIフィールドを運ぶDCIを受信し、DCI内のCAIフィールドを取得して、すべての構成キャリアのスケジューリングステータスを学習する。
【０１５８】
CAIフィールドは、基地局によって構成されたすべての構成キャリア中のスケジューリングキャリアの総量および現在のスケジューリングキャリアの累積指標値Mを示すために使用され、第1のコードおよび第2のコードを含む。本発明の本実施形態の例によれば、可能な実施態様では、CAIフィールドの最初の4ビットは、第1のコードであり、CAIフィールドの最後の4ビットは、第2のコードである。別の可能な実施態様では、CAIフィールドの最初の4ビットは、第2のコードであり、CAIフィールドの最後の4ビットは、第1のコードである。
【０１５９】
UEは、基地局によって送信されたDCIをCC0、CC2、およびCC5を用いて受信し、各DCI内のCAIフィールドを取得し、各CAIフィールドの情報を参照してすべての構成キャリアのスケジューリングステータスを学習する。その後、UEは、DCIに従ってデータを受信してもよい。任意選択で、データ送信の信頼性を保証するために、UEは、すべてのスケジューリングキャリアを用いて基地局によって送信されたデータをUEが正しく受信したかどうかをフィードバックするために、HARQ情報を基地局に送信してもよい。したがって、S505の後に、本方法は、S506およびS507をさらに含んでもよい。
【０１６０】
S506：UEは、CAIフィールドに従ってスケジューリングキャリアの総量および少なくとも1つの現在のスケジューリングキャリアの累積指標値Mを求める。
【０１６１】
S506は特に、UEによって、取得したCAIフィールドのそれぞれに関して、第1のマッピング関係および第1のコードに従ってスケジューリングキャリアの総量を取得し、第2のマッピング関係および第2のコードに従ってMを取得してもよい。
【０１６２】
例示的には、基地局における第1の予め設定されたマッピング関係が、表1に示されているものである場合、UEにおける第1の予め設定されたマッピング関係も、表1に示されているものであり、基地局における第2の予め設定されたマッピング関係が、表2に示されているものである場合、UEにおける第2の予め設定されたマッピング関係も、表2に示されているものである。CAIフィールドの最初の4ビットが第1のコードであり、CAIフィールドの最後の4ビットが第2のコードであるときに、UEが、CC0を用いてDCIを受信し、DCI内で運ばれるCAIフィールドが、00100000である場合、UEは、第1のコード0010に従って表1を検索して、スケジューリングキャリアの総量3を取得し、第2のコード0000に従って表2を検索して、現在のスケジューリングキャリアCC0の累積指標値1を取得する。同様に、UEが、CC2を用いてDCIを受信し、DCI内で運ばれるCAIフィールドが、00100001である場合、UEは、スケジューリングキャリアの総量3を取得し、現在のスケジューリングキャリアCC5の累積指標値2を取得することができ、UEが、CC5を用いてDCIを受信し、DCI内で運ばれるCAIフィールドが、00100010である場合、UEは、スケジューリングキャリアの総量3を取得し、現在のスケジューリングキャリアCC5の累積指標値3を取得することができる。
【０１６３】
S507：UEは、スケジューリングキャリアの総量および少なくとも1つの現在のスケジューリングキャリアの累積指標値Mに従ってHARQ情報を基地局に送信する。
【０１６４】
HARQ情報のビット量は、すべてのスケジューリングキャリアを用いて送信されたデータが正しく受信されたかどうかをフィードバックするために必要なビット量の合計に等しくてもよい。
【０１６５】
スケジューリングキャリアの総量および少なくとも1つの現在のスケジューリングキャリアの累積指標値Mを学習した後に、UEは、各CAIフィールドの情報を参照してすべての構成キャリアのスケジューリングステータスを学習してもよい。このようにして、UEは、各スケジューリングキャリアを用いて送信されたデータの受信の実際のステータスを参照してHARQ情報を送信することができる。
【０１６６】
本発明の本実施形態では、UEは、プライマリキャリアを用いてHARQ情報を基地局に送信してもよいし、プライマリキャリアおよび1つのセカンダリキャリアを用いてHARQ情報を基地局に送信してもよいことに留意されたい。本発明の本実施形態では、HARQ情報を送信するために使用されるキャリアに特定の制限は課されない。HARQ情報を送信するために使用される特定のキャリアは、実際の適用状況の必要に応じて選択されてもよい。
【０１６７】
例示的には、各スケジューリングキャリアを用いて送信されたデータが正しく受信されたかどうかをフィードバックするために1ビットが必要な場合、「1」がUEがデータを正しく受信したことを表し、「0」がUEがデータを正しく受信しなかったことを表す例を用いると、UEが、CC0およびCC5を用いてDCIを別々に受信したとき、UEは、基地局がCC0およびCC5を用いてデータを別々に送信することを学習することができ、基地局のスケジューリングキャリアの総量が3に等しく、CC0の累積指標値が1であり、CC5の累積指標値が3であることを学習することができ、UEが、CC0を用いて基地局によって送信されたデータしか正しく受信しなかったら、UEによって基地局に送信されるHARQ情報は、100であり、UEは、累積指標値が1である現在のスケジューリングキャリアを用いて基地局によって送信されたデータを既に正しく受信したが、累積指標値が2および3であるスケジューリングキャリアを用いて基地局によって送信されたデータを正しく受信しなかったことを示す。UEによって送信されたHARQ情報を受信した後に、基地局は、累積指標値が2および3であるスケジューリングキャリアを用いてDCIまたはデータの少なくとも一方をUEに再送信してもよい。
【０１６８】
以上から分かるように、各スケジューリングキャリアを用いて送信されたデータが正しく受信されたかどうかをフィードバックするために1ビットが必要な場合、HARQ情報のビット量は、基地局のスケジューリングキャリアの総量に等しいが、従来技術では、UEによって基地局に送信されるHARQ情報のビット量は、基地局の構成キャリアの総量に等しい。基地局のスケジューリングキャリアの総量が、基地局のスケジューリングキャリアの総量以下であり、本発明の本実施形態で提供されるキャリアスケジューリング指示に基づいて、UEは、基地局のスケジューリングキャリアの総量に従って、基地局に送信されるHARQ情報のビット量を決定することができるため、決定されたHARQ情報の総ビット量は、従来技術で基地局の構成キャリアの総量に従って決定される、基地局に送信されるHARQ情報のビット量よりも少なくなる。このようにして、UEのフィードバックオーバーヘッドは低減される。
【０１６９】
さらに、基地局とUEとの間でデータを送信するために時分割複信（Time Division Duplexing、略してTDD）モードが使用される場合、UEは、物理アップリンク制御チャネルフォーマット3（Physical Uplink Control Channel format 3、略してPUCCHフォーマット3）のみを用いてHARQ情報を基地局に送信することができるが、PUCCHフォーマット3によってサポートされるフィードバックビットの最大量は20である。このため、基地局が、比較的大量のキャリアを構成する（すなわち、構成キャリアの総量が比較的大きい）ときに、従来技術で、基地局に送信されるHARQ情報を基地局の構成キャリアの総量に従って決定する方法が使用される場合、フィードバックHARQ情報のビット量は20より大きくなり、HARQ情報の送信は失敗することになる。しかしながら、UEが、本発明で提供されるキャリアスケジューリング指示方法に従ってHARQ情報を基地局に送信する場合、基地局のスケジューリングキャリアの総量に従ってUEによって決定される、基地局に送信されるHARQ情報のビット量が20より大きくなる確率が大幅に低減される。したがって、UEは、PUCCHフォーマット3を用いてHARQ情報を基地局に送信することができる。
【０１７０】
第2の実施態様では、図7に示すように、本方法は、以下のプロセスを含んでもよい。
【０１７１】
S601：基地局は、すべての構成キャリア中のスケジューリングキャリアの総量を取得し、現在のスケジューリングキャリアの累積指標値Mを取得する。
【０１７２】
S602：基地局は、
【数８４】
2019169959.tif 000088
が2より大きいかどうかを判定する。
【０１７３】
スケジューリングキャリアの総量および現在のスケジューリングキャリアの累積指標値Mを取得した後に、基地局の構成キャリアの量が比較的大きい場合にCAIフィールドのビット量を可能な限り低減するために、基地局は、
【数８５】
2019169959.tif 000089
が2より大きいかどうかをまず判定してもよく、
【数８６】
2019169959.tif 000090
が2より大きくないと判定した場合、S603およびS604を実行し、
【数８７】
2019169959.tif 000091
が2より大きいと判定した場合、S605およびS606を実行する。基地局の構成キャリアの総量Nは16に等しいと仮定する。これに基づいて、基地局は、
【数８８】
2019169959.tif 000092
が2より大きいと判定することができ、つまり、S602を実行した後、基地局は、続いてS605およびS606を実行する。
【０１７４】
S603：基地局は、スケジューリングキャリアの総量および第1の予め設定されたマッピング関係に従って第1のコードを取得し、現在のスケジューリングキャリアの累積指標値Mおよび第2の予め設定されたマッピング関係に従って第2のコードを取得する。
【０１７５】
第1のマッピング関係は、スケジューリングキャリアの総量に対応する第1のコードを示すために使用され、第2のマッピング関係は、Mに対応する第2のコードを示すために使用される。
【０１７６】
第1のコードおよび第2のコードのビット量のいずれも、
【数８９】
2019169959.tif 000093
であってもよい。
【０１７７】
S604：基地局は、第1のコードと第2のコードとを組み合わせてCAIフィールドを生成する。
【０１７８】
S605：基地局は、スケジューリングキャリアの総量および第1の予め設定されたマッピング関係に従って第1のコードを取得し、現在のスケジューリングキャリアの累積指標値Mおよび第3の予め設定されたマッピング関係に従って第3のコードを取得する。
【０１７９】
第3のマッピング関係は、現在のスケジューリングキャリアの累積指標値Mに対応する第3のコードを示すために使用され、第3のコードのビット量は、第2のコードのビット量よりも少ない。第3のマッピング関係では、複数の異なるMが、1つの第3のコードに対応してもよいため、第3のコードのビット量は、第2のコードのビット量より少なくてもよく、つまり、第3のコードのビット量は、
【数９０】
2019169959.tif 000094
よりも少ない。
【０１８０】
例示的には、基地局の構成キャリアの量が16に等しいとき、基地局の構成キャリアの量が比較的大きい場合にCAIフィールドのビット量を可能な限り低減するために、第3のコードのビット量は、
【数９１】
2019169959.tif 000095
より少なくてもよく、つまり、第3のコードのビット量は、2または3であってもよい。第3のコードのビット量が2である例を用いる場合、基地局における第3の予め設定されたマッピング関係は、表3に示されているものであってもよい。表3から分かるように、Mが、個々に1、5、9、または13に等しい場合、対応する第3のコードは00であり、つまり、第3のコードのビット量は2である。CC0に関して、基地局は、取得したスケジューリングキャリアの総量（例えば、スケジューリングキャリアの総量は3に等しい）に従って表1を検索して、第1のコード0010を取得し、取得した現在のスケジューリングキャリアCC0の累積指標値（CC0の累積指標値は1に等しい）に従って表3を検索して、第3のコード00を取得し、CC2に関して、基地局は、第1のコード0010を取得し、現在のスケジューリングキャリアCC2の累積指標値（CC2の累積指標値は2に等しい）に従って表3を検索して、第3のコード01を取得し、CC5に関して、基地局は、第1のコード0010を取得し、取得した現在のスケジューリングキャリアCC5の累積指標値（CC5の累積指標値は3に等しい）に従って表3を検索して、第3のコード10を取得する。
【０１８１】
本発明の本実施形態では、現在のスケジューリングキャリアのそれぞれに関して、基地局は、一度だけ第1のコードを取得し、現在のスケジューリングキャリアのそれぞれの第2のコードを取得してもよいことに留意されたい。
【０１８２】
【表３】
2019169959.tif 000096
【０１８３】
本発明の本実施形態の表3に含まれる値は例示に過ぎないことに留意されたい。本発明の本実施形態は、表3の現在のスケジューリングキャリアの累積指標値に対応する第3のコードの特定の値を限定するものではない。現在のスケジューリングキャリアの累積指標値に対応する第2のコードの特定の値は、実際の状況の必要に応じて設定されてもよい。
【０１８４】
S606：基地局は、第1のコードと第3のコードとを組み合わせてCAIフィールドを生成する。
【０１８５】
CAIフィールドは、すべての構成キャリア中のスケジューリングキャリアの総量および現在のスケジューリングキャリアの累積指標値を示すために使用される。本発明の本実施形態の例によれば、基地局のすべての構成キャリアの総量は16に等しいため、CAIフィールドのビット量が
【数９２】
2019169959.tif 000097
（ここではa＝2）であることに従って、基地局によって生成されるCAIフィールドのビット量は6であることが分かる。さらに、生成されたCAIフィールドにおいて、第1の可能な実施態様では、第1のコードは、CAIフィールドの最初の4ビットに配置され、第3のコードは、CAIフィールドの最後の2ビットに配置され、第2の可能な実施態様では、第1のコードは、CAIフィールドの最後の4ビットに配置され、第3のコードは、CAIフィールドの最初の2ビットに配置される。
【０１８６】
例示的には、CC0に関して、第1の可能な実施態様で基地局によって生成される、CC0のCAIフィールドは、001000であり、第2の可能な実施態様で基地局によって生成される、CC0のCAIフィールドは、000010である。CC2に関して、第1の可能な実施態様で基地局によって生成される、CC2のCAIフィールドは、001001であり、第2の可能な実施態様で基地局によって生成される、CC2のCAIフィールドは、010010である。CC5に関して、第1の可能な実施態様で基地局によって生成される、CC5のCAIフィールドは、001010であり、第2の可能な実施態様で基地局によって生成される、CC5のCAIフィールドは、100010である。
【０１８７】
S607：基地局は、CAIフィールドをDCIに追加し、現在のスケジューリングキャリアを用いてDCIをUEに送信する。
【０１８８】
S601〜S604およびS607の説明については、S501〜S504の説明を参照することとし、ここでは詳細は再び説明しない。
【０１８９】
本発明の先の実施形態におけるS502およびS503の説明および本発明の本実施形態のS605およびS606の説明から分かるように、
【数９３】
2019169959.tif 000098
が2より大きい場合、第3のマッピング関係に従って基地局によって取得される第3のコードのビット量は、第2のマッピング関係に従って基地局によって取得される第2のコードのビット量よりも少なくなる。このため、第1のコードと第3のコードとを組み合わせることによって基地局により生成されるCAIフィールドのビット量は、第1のコードと第2のコードとを組み合わせることによって基地局により生成されるCAIフィールドのビット量よりも少なくなる。すなわち、
【数９４】
2019169959.tif 000099
が2より大きい場合、基地局は、第1のコードおよび第3のコードに従ってCAIフィールドを生成することが好ましい。このようにして、DCIフィールドの長さは短くすることができ、シグナリングオーバーヘッドは低減される
【０１９０】
S608：UEは、少なくとも1つの現在のスケジューリングキャリアを用いて基地局によって送信された、CAIフィールドを運ぶDCIを受信し、DCI内のCAIフィールドを取得して、すべての構成キャリアのスケジューリングステータスを学習する。
【０１９１】
CAIフィールドは、基地局によって構成されたすべての構成キャリア中のスケジューリングキャリアの総量および現在のスケジューリングキャリアの累積指標値Mを示すために使用され、第1のコードおよび第2のコードを含み得るか、または第1のコードおよび第3のコードを含み得る。
【０１９２】
CAIフィールドが第1のコードおよび第2のコードを含む場合、S605およびS606の例によれば、可能な実施態様では、CAIフィールドの最初の4ビットは、第1のコードであり、CAIフィールドの最後の2ビットは、第2のコードであり、別の可能な実施態様では、CAIフィールドの最初の2ビットは、第2のコードであり、CAIフィールドの最後の4ビットは、第1のコードである。
【０１９３】
CAIフィールドが第1のコードおよび第3のコードを含む場合、本発明の本実施形態によれば、可能な実施態様では、CAIフィールドの最初の4ビットは、第1のコードであり、CAIフィールドの最後の2ビットは、第3のコードであり、別の可能な実施態様では、CAIフィールドの最初の2ビットは、第3のコードであり、CAIフィールドの最後の4ビットは、第1のコードである。
【０１９４】
基地局によって送信されたDCIを受信し、DCI内のCAIフィールドを取得し、すべての構成キャリアのスケジューリングステータスを学習した後に、UEは、DCIに従ってデータを受信してもよい。任意選択で、データ送信の信頼性を保証するために、UEは、すべてのスケジューリングキャリアを用いて基地局によって送信されたデータをUEが正しく受信したかどうかをフィードバックするために、HARQ情報を基地局に送信してもよい。したがって、S608の後に、本方法は、S609およびS610をさらに含む。
【０１９５】
S609：UEは、CAIフィールドに従ってスケジューリングキャリアの総量および少なくとも1つの現在のスケジューリングキャリアの累積指標値Mを求める。
【０１９６】
CAIフィールドが、第1のコードおよび第3のコードを含む場合、S609は特に、各CAIフィールドに関して、第1のマッピング関係および第1のコードに従ってスケジューリングキャリアの総量を取得し、第3のマッピング関係および第3のコードに従ってMを取得してもよい。
【０１９７】
例示的には、基地局における第1の予め設定されたマッピング関係が、表1に示されているものである場合、UEにおける第1の予め設定されたマッピング関係も、表1に示されているものであり、基地局における第3の予め設定されたマッピング関係が、表3に示されているものである場合、UEにおける第3の予め設定されたマッピング関係も、表3に示されているものである。CAIフィールドの最初の4ビットが第1のコードであり、CAIフィールドの最後の2ビットが第3のコードであるときに、UEが、CC0を用いてDCIを受信し、DCI内で運ばれるCAIフィールドが、001000である場合、UEは、第1のコード0010に従って表1を検索して、スケジューリングキャリアの総量3を取得し、第3のコード00に従って表2を検索して、第3のコード00に対応する累積指標値1、5、9、および13を取得する。CAIフィールドを運ぶDCIは、現在のスケジューリングキャリアCC0を用いてUEによって受信されるため、UEは、現在のスケジューリングキャリアCC0の累積指標値1を取得することができる。同様に、UEが、CC2を用いてDCIを受信し、DCI内で運ばれるCAIフィールドが、001001である場合、UEは、スケジューリングキャリアの総量3を取得し、現在のスケジューリングキャリアCC2の累積指標値2を取得することができ、UEが、CC5を用いてDCIを受信し、DCI内で運ばれるCAIフィールドが、001010である場合、UEは、スケジューリングキャリアの総量3を取得し、現在のスケジューリングキャリアCC5の累積指標値3を取得することができる。
【０１９８】
CAIフィールドが、第1のコードおよび第2のコードを含む場合、UEによって、CAIフィールドに従ってスケジューリングキャリアの総量および少なくとも1つの現在のスケジューリングキャリアの累積指標値Mを求めるプロセスについては、前述の実施形態のS506の具体的な説明を参照することとし、本発明の本実施形態では詳細は再び説明しないことに留意されたい。
【０１９９】
S610：UEは、スケジューリングキャリアの総量および少なくとも1つの現在のスケジューリングキャリアの累積指標値Mに従ってHARQ情報を基地局に送信する。
【０２００】
HARQ情報のビット量は、すべてのスケジューリングキャリアを用いて送信されたデータが正しく受信されたかどうかをフィードバックするために必要なビット量の合計に等しい。S610の説明については、S507の説明を参照することとし、ここでは詳細は再び説明しない。
【０２０１】
本発明の本実施形態のS601〜S610の具体的な説明については、S501〜S507の説明を参照することとし、本発明の本実施形態では詳細は再び説明しないことに留意されたい。
【０２０２】
第3の実施態様では、図8に示すように、本方法は、以下のプロセスを含んでもよい。
【０２０３】
S701：基地局は、現在のスケジューリングキャリアの前のスケジューリングキャリアの番号および現在のスケジューリングキャリアの次のスケジューリングキャリアの番号を取得する。
【０２０４】
例えば、基地局によってスケジューリングされたキャリアは、CC0、CC2、およびCC5である。したがって、CC0にとって、前のスケジューリングキャリアの番号は5であり、次のスケジューリングキャリアの番号は2であり、CC2にとって、前のスケジューリングキャリアの番号は0であり、次のスケジューリングキャリアの番号は5であり、CC5にとって、前のスケジューリングキャリアの番号は2であり、次のスケジューリングキャリアの番号は0である。
【０２０５】
例示的には、基地局の構成キャリア中の1つのキャリアのみがスケジューリングされる場合、例例えば、基地局の構成キャリアの総量が16であり、スケジューリングキャリアがCC5である場合、CC5にとって、前のスケジューリングキャリアの番号は5であり、次のスケジューリングキャリアの番号は5である。
【０２０６】
基地局の構成キャリア中の2つのキャリアがスケジューリングされる場合、例えば、基地局の構成キャリアの総量が16であり、スケジューリングキャリアがCC5およびCC8である場合、CC5にとって、前のスケジューリングキャリアの番号は8であり、次のスケジューリングキャリアの番号は8であり、また、CC8にとって、前のスケジューリングキャリアの番号は5であり、次のスケジューリングキャリアの番号は5である。
【０２０７】
S702：基地局は、前のスケジューリングキャリアの番号および第4のマッピング関係に従って第4のコードを取得し、次のスケジューリングキャリアの番号および第4のマッピング関係に従って第5のコードを取得する。
【０２０８】
第4のマッピング関係は、前のスケジューリングキャリアの番号に対応する第4のコードおよび次のスケジューリングキャリアの番号に対応する第5のコードを示すために使用される。
【０２０９】
例示的には、第4の予め設定されたマッピング関係は、表4に示されているものであってもよい。現在のスケジューリングキャリアの前のスケジューリングキャリアの番号および現在のスケジューリングキャリアの次のスケジューリングキャリアの番号を取得した後に、基地局は、前のスケジューリングキャリアの番号に従って表4を検索して第4のコードを取得し、次のスケジューリングキャリアの番号に従って表4を検索して第5のコードを取得する。
【０２１０】
【表４】
2019169959.tif 000100
【０２１１】
本発明の本実施形態の表4に含まれる値は例示に過ぎないことに留意されたい。本発明の本実施形態は、表4のスケジューリングキャリアの番号に対応するコードの特定の値を限定するものではない。スケジューリングキャリアの番号に対応するコードの特定の値は、実際の状況の必要に応じて設定されてもよい。
【０２１２】
もちろん、第4のコードは、前のスケジューリングキャリアの番号に対してバイナリ符号化を実行した結果として取得されてもよく、第5のコードは、次のスケジューリングキャリアの番号に対してバイナリ符号化を実行した結果として取得されてもよい。このように、現在のスケジューリングキャリアの前のスケジューリングキャリアの番号および現在のスケジューリングキャリアの次のスケジューリングキャリアの番号を取得した後に、基地局は、前のスケジューリングキャリアの番号に対してバイナリ符号化を直接実行して第4のコードを取得してもよく、次のスケジューリングキャリアの番号に対してバイナリ符号化を直接実行して第5のコードを取得してもよい。例示的には、基地局によって構成されたキャリアの量が16に等しい場合、前のスケジューリングキャリアのビット量および次のスケジューリングキャリアのビット量は4である。例えば、現在のスケジューリングキャリアCC0に関して、基地局は、CC0の前のスケジューリングキャリアの番号5のバイナリコード0101を取得し、次のスケジューリングキャリアの番号2のバイナリコード0010を取得し、現在のスケジューリングキャリアCC2に関して、基地局は、CC2の前のスケジューリングキャリアの番号0のバイナリコード0000を取得し、次のスケジューリングキャリアの番号5のバイナリコード0101を取得し、現在のスケジューリングキャリアCC5に関して、基地局は、CC5の前のスケジューリングキャリアの番号2のバイナリコード0010を取得し、次のスケジューリングキャリアの番号0のバイナリコード0000を取得する。
【０２１３】
S703：基地局は、第4のコードと第5のコードとを組み合わせてCAIフィールドを生成する。
【０２１４】
CAIフィールドは、現在のスケジューリングキャリアの前のスケジューリングキャリアの番号および現在のスケジューリングキャリアの次のスケジューリングキャリアの番号を示すために使用される。本発明の本実施形態の例によれば、基地局のすべての構成キャリアの総量は16に等しく、CAIフィールドのビット量は
【数９５】
2019169959.tif 000101
であってもよく、基地局によって生成されるCAIフィールドのビット量は8である。さらに、生成されたCAIフィールドにおいて、第1の可能な実施態様では、第4のコードは、CAIフィールドの最初の4ビットに配置され、第5のコードは、CAIフィールドの最後の4ビットに配置され、第2の可能な実施態様では、第5のコードは、CAIフィールドの最初の4ビットに配置され、第4のコードは、CAIフィールドの最後の4ビットに配置される。
【０２１５】
例示的には、第1の可能な実施態様で基地局によって生成された、現在のスケジューリングキャリアのそれぞれに対応するCAIフィールドは、表5に示されているものであってもよく、第2の可能な実施態様で基地局によって生成された、現在のスケジューリングキャリアのそれぞれに対応するCAIフィールドは、表6に示されているものであってもよい。
【０２１６】
【表５】
2019169959.tif 000102
【０２１７】
【表６】
2019169959.tif 000103
【０２１８】
S704：基地局は、CAIフィールドをDCIに追加し、現在のスケジューリングキャリアを用いてDCIをUEに送信する。
【０２１９】
S705：UEは、少なくとも1つの現在のスケジューリングキャリアを用いて基地局によって送信された、CAIフィールドを運ぶDCIを受信し、DCI内のCAIフィールドを取得して、すべての構成キャリアのスケジューリングステータスを学習する。
【０２２０】
CAIフィールドは、現在のスケジューリングキャリアの前のスケジューリングキャリアの番号および現在のスケジューリングキャリアの次のスケジューリングキャリアの番号を示すために使用され、第4のコードおよび第5のコードを含む。本発明の本実施形態の例によれば、可能な実施態様では、CAIフィールドの最初の4ビットは、第4のコードであり、CAIフィールドの最後の4ビットは、第5のコードであり、別の可能な実施態様では、CAIフィールドの最初の4ビットは、第5のコードであり、CAIフィールドの最後の4ビットは、第4のコードである。
【０２２１】
基地局によって送信されたDCIを受信した後に、UEは、DCIに従ってデータを受信してもよい。任意選択で、データ送信の信頼性を保証するために、UEは、すべてのスケジューリングキャリアを用いて基地局によって送信されたデータをUEが正しく受信したかどうかをフィードバックするために、HARQ情報を基地局に送信してもよい。したがって、S705の後に、本方法は、S706〜S708をさらに含む。
【０２２２】
S706：UEは、CAIフィールドに従って、少なくとも1つの現在のスケジューリングキャリアの前のスケジューリングキャリアの番号および少なくとも1つの現在のスケジューリングキャリアの次のスケジューリングキャリアの番号を求める。
【０２２３】
S706は特に、UEによって、各CAIフィールドに関して、第4のコードおよび第4のマッピング関係に従って前のスケジューリングキャリアの番号を取得し、第5のコードおよび第4のマッピング関係に従って次のスケジューリングキャリアの番号を取得してもよい。
【０２２４】
例示的には、基地局における第4の予め設定されたマッピング関係が、表4に示されているものである場合、UEにおける第4の予め設定されたマッピング関係も、表4に示されているものである。CAIフィールドの最初の4ビットが第4のコードであり、CAIフィールドの最後の4ビットが第5のコードであるときに、UEがCC0を用いてDCIを受信し、DCI内で運ばれたCAIフィールドが01010010である場合、UEは、第4のコード（すなわち、CAIフィールドの最初の4ビットのコード0101）に従って、現在のスケジューリングキャリアCC0の前のスケジューリングキャリアの番号5を取得することができ、第5のコード（すなわち、CAIフィールドの最後の4ビットのコード0010）に従って、現在のスケジューリングキャリアCC0の次のスケジューリングキャリアの番号2を取得することができる。同様に、UEがCC2を用いてDCIを受信し、DCI内で運ばれたCAIフィールドが00000101である場合、UEは、第4のコード（すなわち、CAIフィールドの最初の4ビットのコード0000）に従って、現在のスケジューリングキャリアCC2の前のスケジューリングキャリアの番号0を取得することができ、第5のコード（すなわち、CAIフィールドの最後の4ビットのコード0101）に従って、現在のスケジューリングキャリアCC2の次のスケジューリングキャリアの番号5を取得することができる。UEがCC5を用いてDCIを受信し、DCI内で運ばれたCAIフィールドが00100000である場合、UEは、第4のコード（すなわち、CAIフィールドの最初の4ビットのコード0010）に従って、現在のスケジューリングキャリアCC5の前のスケジューリングキャリアの番号2を取得することができ、第5のコード（すなわち、CAIフィールドの最後の4ビットのコード0000）に従って、現在のスケジューリングキャリアCC5の次のスケジューリングキャリアの番号0を取得することができる。
【０２２５】
S707：UEは、少なくとも1つの現在のスケジューリングキャリアの前のスケジューリングキャリアの番号および少なくとも1つの現在のスケジューリングキャリアの次のスケジューリングキャリアの番号に従って、スケジューリングキャリアの総量を求める。
【０２２６】
CAIフィールドに従って、少なくとも1つの現在のスケジューリングキャリアの前のスケジューリングキャリアの番号および少なくとも1つの現在のスケジューリングキャリアの次のスケジューリングキャリアの番号を求めた後に、UEは、少なくとも1つの現在のスケジューリングキャリアの前のスケジューリングキャリアの番号および少なくとも1つの現在のスケジューリングキャリアの次のスケジューリングキャリアの番号に従って、スケジューリングキャリアの総量を求めてもよい。
【０２２７】
例示的には、UEは、CC0の前のスケジューリングキャリアの番号5およびCC0の次のスケジューリングキャリアの番号2を取得し、CC2の前のスケジューリングキャリアの番号0およびCC2の次のスケジューリングキャリアの番号5を取得し、CC5の前のスケジューリングキャリアの番号2およびCC5の次のスケジューリングキャリアの番号0を取得することから、UEは、基地局のスケジューリングキャリアがそれぞれCC0、CC2、およびCC5であることを求めることができ、つまり、UEは、基地局のスケジューリングキャリアの総量3を求めることができる。
【０２２８】
S708：UEは、スケジューリングキャリアの総量、少なくとも1つの現在のスケジューリングキャリアの前のスケジューリングキャリアの番号、および少なくとも1つの現在のスケジューリングキャリアの次のスケジューリングキャリアの番号に従って、HARQ情報を基地局に送信する。
【０２２９】
HARQ情報のビット量は、すべてのスケジューリングキャリアを用いて送信されたデータが正しく受信されたかどうかをフィードバックするために必要なビット量の合計に等しい。スケジューリングキャリアの総量、少なくとも1つの現在のスケジューリングキャリアの前のスケジューリングキャリアの番号、および少なくとも1つの現在のスケジューリングキャリアの次のスケジューリングキャリアの番号を取得した後に、UEは、すべてのスケジューリングキャリアを用いて基地局によって送信されたデータをUEが正しく受信したかどうかをフィードバックするために、スケジューリングキャリアの総量、少なくとも1つの現在のスケジューリングキャリアの前のスケジューリングキャリアの番号、および少なくとも1つの現在のスケジューリングキャリアの次のスケジューリングキャリアの番号に従ってHARQ情報を基地局に送信してもよい。
【０２３０】
本発明の本実施形態では、UEは、プライマリキャリアを用いてHARQ情報を基地局に送信してもよいし、プライマリキャリアおよび1つのセカンダリキャリアを用いてHARQ情報を基地局に送信してもよいことに留意されたい。本発明の本実施形態は、HARQ情報を送信するために使用されるキャリアを限定するものではない。HARQ情報を送信するために使用される特定のキャリアは、実際の適用状況の必要に応じて選択されてもよい。
【０２３１】
例示的には、各スケジューリングキャリアを用いて送信されたデータが正しく受信されたかどうかをフィードバックするために1ビットが必要な場合、「1」がUEがデータを正しく受信したことを示し、「0」がUEがデータを正しく受信しなかったことを示す例を用いると、UEが、CC0およびCC5を用いてDCIを別々に受信したとき、UEは、基地局がCC0およびCC5を用いてデータを別々に送信することを学習することができ、基地局のスケジューリングキャリアがそれぞれCC0、CC2、およびCC5であることを学習することができ、つまり、UEは、基地局のスケジューリングキャリアの総量3を学習することができる。このようにして、UEは、基地局に送信されるHARQ情報が3ビットを有することを決定してもよい。UEが、CC0を用いて基地局によって送信されたデータしか正しく受信しなかったら、UEによって基地局に送信されるHARQ情報は、100であり、UEは、現在のスケジューリングキャリアCC0を用いて基地局によって送信されたデータを既に正しく受信したが、現在のスケジューリングキャリアCC2および現在のスケジューリングキャリアCC5を用いて基地局によって送信されたデータを正しく受信しなかったことを示す。UEによって送信されたHARQ情報を受信した後に、基地局は、現在のスケジューリングキャリアCC2および現在のスケジューリングキャリアCC5を用いて送信されたデータをUEに再送信する。
【０２３２】
本発明の本実施形態のS701〜S708の具体的な説明については、S501〜S507の説明を参照することとし、本発明の本実施形態では詳細は再び説明しないことに留意されたい。
【０２３３】
第4の実施態様では、当業者の理解の便宜のために、基地局の構成キャリアが全部で8つあり、基地局によってスケジューリングされたキャリアがCC4およびCC5である例を用いて、本発明の実施形態で提供されるキャリアスケジューリング指示方法を説明する。図9に示すように、本方法は、以下のプロセスを含んでもよい。
【０２３４】
S801：基地局は、現在のスケジューリングキャリアの前のスケジューリングキャリアの番号および現在のスケジューリングキャリアの次のスケジューリングキャリアの番号を取得する。
【０２３５】
例えば、基地局によってスケジューリングされたキャリアは、CC4およびCC5である。したがって、CC4にとって、前のスケジューリングキャリアの番号は5であり、次のスケジューリングキャリアの番号も5であり、また、CC5にとって、前のスケジューリングキャリアの番号は4であり、次のスケジューリングキャリアの番号も4である。
【０２３６】
S802：基地局は、前のスケジューリングキャリアの番号、次のスケジューリングキャリアの番号、および第4のマッピング関係に従って第6のコードを取得し、第6のコードをCAIフィールドとして使用する。
【０２３７】
現在のスケジューリングキャリアの前のスケジューリングキャリアの番号および現在のスケジューリングキャリアの次のスケジューリングキャリアの番号を取得した後に、基地局は、前のスケジューリングキャリアの番号、次のスケジューリングキャリアの番号、および第4のマッピング関係に従って第6のコードを取得し、第6のコードをCAIフィールドとして使用してもよい。基地局の構成キャリアが全部で8つあり、CAIフィールドは
【数９６】
2019169959.tif 000104
ビットを含んでもよいことから、基地局によって生成されるCAIフィールドが5ビットを含むことが得られてもよい。
【０２３８】
基地局は、基地局で構成される、1つのスケジューリングキャリアに対応する第4のマッピング関係を1つの独立した表に配置してもよい。例示的には、現在のスケジューリングキャリアCC4に関して、CC4に対応する第4のマッピング関係は、表7に示されているものである。基地局は、CC4の前のスケジューリングキャリアの番号5およびCC4の次のスケジューリングキャリアの番号5に従って表7を検索して第6のコード01111を取得し、取得した第6のコード01111をCC4のCAIフィールドとして使用する。同様に、現在のスケジューリングキャリアCC5に関して、基地局は、CC5の前のスケジューリングキャリアの番号4およびCC5の次のスケジューリングキャリアの番号4に従って、CC5に対応する第4のマッピング関係を検索して第6のコードを取得し、取得した第6のコードをCC5のCAIフィールドとして使用してもよい。あるいは、基地局は、基地局で構成される、すべてのスケジューリングキャリアに対応する第4のマッピング関係を1つの表に配置してもよい。
【０２３９】
【表７】
2019169959.tif 000105
【０２４０】
本発明の本実施形態の表7に含まれる値は例示に過ぎないことに留意されたい。本発明の本実施形態は、表7における前のスケジューリングキャリアの番号に対応するコードの特定の値、次のスケジューリングキャリアの番号に対応するコードの特定の値、または特定の予備コードを限定するものではない。前のスケジューリングキャリアの番号に対応するコードの特定の値、次のスケジューリングキャリアの番号に対応するコードの特定の値、および特定の予備コードは、実際の状況の必要に応じてそれ相応に設定されてもよい。
【０２４１】
S803：基地局は、CAIフィールドをDCIに追加し、現在のスケジューリングキャリアを用いてDCIをUEに送信する。
【０２４２】
S804：UEは、少なくとも1つの現在のスケジューリングキャリアを用いて基地局によって送信された、CAIフィールドを運ぶDCIを受信し、DCI内のCAIフィールドを取得して、すべての構成キャリアのスケジューリングステータスを学習する。
【０２４３】
CAIフィールドは、第6のコードであり、現在のスケジューリングキャリアの前のスケジューリングキャリアの番号および現在のスケジューリングキャリアの次のスケジューリングキャリアの番号を示すために使用される。
【０２４４】
基地局によって送信されたDCIを受信した後に、UEは、DCIに従ってデータを受信してもよい。任意選択で、データ送信の信頼性を保証するために、UEは、すべてのスケジューリングキャリアを用いて基地局によって送信されたデータをUEが正しく受信したかどうかをフィードバックするために、HARQ情報を基地局に送信してもよい。したがって、S804の後に、本方法は、S805〜S807をさらに含む。
【０２４５】
S805：UEは、CAIフィールドに従って、少なくとも1つの現在のスケジューリングキャリアの前のスケジューリングキャリアの番号および少なくとも1つの現在のスケジューリングキャリアの次のスケジューリングキャリアの番号を求める。
【０２４６】
S805は特に、UEによって、CAIフィールドに関して、第6のコードおよび第4のマッピング関係に従って前のスケジューリングキャリアの番号および次のスケジューリングキャリアの番号を取得してもよい。
【０２４７】
例示的には、UEがCC4を用いてDCIを受信し、DCIに含まれるCAIフィールドが01111である場合、UEは、第6のコード01111に従って、CC4に対応する第4のマッピング関係（例えば、表7）を検索して、CC4の前のスケジューリングキャリアの番号5およびCC4の次のスケジューリングキャリアの番号5を取得する。同様に、UEがCC4を用いてDCIを受信する場合、UEは、DCI内で運ばれたCAIフィールドに従って、CC5に対応する第4のマッピング関係を検索して、CC5の前のスケジューリングキャリアの番号4およびCC5の次のスケジューリングキャリアの番号4を取得してもよい。
【０２４８】
S806：UEは、少なくとも1つの現在のスケジューリングキャリアの前のスケジューリングキャリアの番号および少なくとも1つの現在のスケジューリングキャリアの次のスケジューリングキャリアの番号に従って、スケジューリングキャリアの総量を求める。
【０２４９】
S807：UEは、スケジューリングキャリアの総量、少なくとも1つの現在のスケジューリングキャリアの前のスケジューリングキャリアの番号、および少なくとも1つの現在のスケジューリングキャリアの次のスケジューリングキャリアの番号に従って、HARQ情報を基地局に送信する。
【０２５０】
本発明の本実施形態のS801〜S807の具体的な説明については、S701〜S708の説明を参照することとし、本発明の本実施形態では詳細は再び説明しないことに留意されたい。
【０２５１】
本発明の本実施形態で提供されるキャリアスケジューリング指示方法によれば、基地局によって構成されたすべての構成キャリアのスケジューリングステータスに従って現在のスケジューリングキャリアのCAIフィールドを生成した後に、基地局は、生成したCAIフィールドをDCIに追加し、現在のスケジューリングキャリアを用いてDCIをUEに送信し、これにより、UEは、DCI内のCAIフィールドに従ってすべての構成キャリアのスケジューリングステータスを学習する。本発明では、基地局によってUEに送信され、キャリアスケジューリング指示を実行するために使用されるCAIフィールドは、すべてのスケジューリングキャリアの総量および現在のスケジューリングキャリアの累積指標値を示すか、または、現在のスケジューリングキャリアの前のスケジューリングキャリアの番号および現在のスケジューリングキャリアの次のスケジューリングキャリアの番号を示し、つまり、本発明のCAIフィールドは、スケジューリングキャリアのスケジューリング情報を示す。しかしながら、従来技術では、基地局によってUEに送信され、キャリアスケジューリング指示を実行するために使用されるDAI2フィールドは、現在のスケジューリングキャリアとは異なるすべての構成キャリアに関して各構成キャリアのスケジューリングステータスを示す。基地局のスケジューリングキャリアの総量は、基地局の構成キャリアの総量以下である。したがって、従来技術と比較して、基地局が、比較的大量のキャリアを構成する場合、本発明の本実施形態で提供される方法に従って基地局により生成されるCAIフィールドは、比較的少量のビットを含む。このようにして、DCIフィールドの長さは短くなり、シグナリングオーバーヘッドは低減される。
【０２５２】
さらに、本発明の本実施形態で提供されるキャリアスケジューリング指示に基づいて、UEは、基地局のスケジューリングキャリアの総量に従って、基地局に送信されるHARQ情報のビット量を決定することができる。基地局のスケジューリングキャリアの総量は、基地局の構成キャリアの総量以下であるため、すべての構成キャリアの総量に従って、基地局に送信されるHARQ情報のビット量をUEが決定する従来技術と比較して、本発明では、HARQ情報のビット量が低減され、シグナリングオーバーヘッドが低減される。
【０２５３】
本発明の実施形態は、基地局を提供する。図10に示すように、基地局は、プロセッサ91および送信器92を含む。
【０２５４】
プロセッサ91は、基地局によって構成されたすべての構成キャリアのスケジューリングステータスに従って、現在のスケジューリングキャリアのCAIフィールドを生成するように構成される。
【０２５５】
CAIフィールドは、すべての構成キャリア中のスケジューリングキャリアの総量および現在のスケジューリングキャリアの累積指標値Mを示すために使用され、Mは、現在のスケジューリングキャリアが、最初の構成キャリアから現在のスケジューリングキャリアまででM番目のスケジューリングキャリアであることを示すか、または、CAIフィールドは、現在のスケジューリングキャリアの前のスケジューリングキャリアの番号および現在のスケジューリングキャリアの次のスケジューリングキャリアの番号を示すために使用される。
【０２５６】
送信器92は、プロセッサ91によって生成されたCAIフィールドをDCIに追加し、現在のスケジューリングキャリアを用いてDCIをUEに送信するように構成される。
【０２５７】
Mは、1以上の整数である。
【０２５８】
本発明の本実施形態では、さらに、CAIフィールドが、すべての構成キャリア中のスケジューリングキャリアの総量および現在のスケジューリングキャリアの累積指標値Mを示すために使用される場合、
プロセッサ91は、スケジューリングキャリアの総量を取得し、Mを取得し、スケジューリングキャリアの総量および第1の予め設定されたマッピング関係に従って第1のコードを取得し、Mおよび第2の予め設定されたマッピング関係に従って第2のコードを取得し、第1のコードと第2のコードとを組み合わせてCAIフィールドを生成するように特に構成される。
【０２５９】
第1のマッピング関係は、スケジューリングキャリアの総量に対応する第1のコードを示すために使用され、第2のマッピング関係は、Mに対応する第2のコードを示すために使用される。
【０２６０】
任意選択で、第1のコードは、
【数９７】
2019169959.tif 000106
ビットを含み、第2のコードは、
【数９８】
2019169959.tif 000107
ビットを含む。
【０２６１】
Nは、すべての構成キャリアの総量であり、
【数９９】
2019169959.tif 000108
は、log2Nを切り上げた後に得られる値を表す。
【０２６２】
本発明の本実施形態では、さらに、プロセッサ91は、スケジューリングキャリアの総量および第1の予め設定されたマッピング関係に従って第1のコードを取得し、Mおよび第2の予め設定されたマッピング関係に従って第2のコードを取得する前に、
【数１００】
2019169959.tif 000109
が2より大きいかどうかを判定するようにさらに構成され、
プロセッサ91は、
【数１０１】
2019169959.tif 000110
が2より大きくない場合に、スケジューリングキャリアの総量および第1のマッピング関係に従って第1のコードを取得し、Mおよび第2のマッピング関係に従って第2のコードを取得するように特に構成される。
【０２６３】
本発明の本実施形態では、さらに、プロセッサ91は、
【数１０２】
2019169959.tif 000111
が2より大きい場合に、スケジューリングキャリアの総量および第1のマッピング関係に従って第1のコードを取得し、Mおよび第3の予め設定されたマッピング関係に従って第3のコードを取得し、第1のコードと第3のコードとを組み合わせてCAIフィールドを生成するようにさらに構成される。
【０２６４】
第3のマッピング関係は、Mに対応する第3のコードを示すために使用され、第3のコードのビット量は、第2のコードのビット量よりも少ない。
【０２６５】
本発明の本実施形態では、さらに、CAIフィールドが、第1のコードおよび第2のコードに従って生成される場合、CAIフィールドのビット量は、
【数１０３】
2019169959.tif 000112
である。
【０２６６】
第1のコードは、CAIフィールドの最初の
【数１０４】
2019169959.tif 000113
ビットに配置され、第2のコードは、CAIフィールドの最後の
【数１０５】
2019169959.tif 000114
ビットに配置されるか、または、第1のコードは、CAIフィールドの最後の
【数１０６】
2019169959.tif 000115
ビットに配置され、第2のコードは、CAIフィールドの最初の
【数１０７】
2019169959.tif 000116
ビットに配置される。
【０２６７】
本発明の本実施形態では、さらに、CAIフィールドが、第1のコードおよび第3のコードに従って生成される場合、CAIフィールドのビット量は、
【数１０８】
2019169959.tif 000117
である。
【０２６８】
aは、2以上かつ
【数１０９】
2019169959.tif 000118
未満の整数である。第1のコードは、CAIフィールドの最初の
【数１１０】
2019169959.tif 000119
ビットに配置され、第3のコードは、CAIフィールドの最後のaビットに配置されるか、または、第1のコードは、CAIフィールドの最後の
【数１１１】
2019169959.tif 000120
ビットに配置され、第3のコードは、CAIフィールドの最初のaビットに配置される。
【０２６９】
本発明の本実施形態では、さらに、CAIフィールドが、現在のスケジューリングキャリアの前のスケジューリングキャリアの番号および現在のスケジューリングキャリアの次のスケジューリングキャリアの番号を示すために使用される場合、
プロセッサ91は、現在のスケジューリングキャリアの前のスケジューリングキャリアの番号および現在のスケジューリングキャリアの次のスケジューリングキャリアの番号を取得し、前のスケジューリングキャリアの番号、次のスケジューリングキャリアの番号、および第4の予め設定されたマッピング関係に従ってCAIフィールドを生成するように特に構成される。
【０２７０】
本発明の本実施形態では、さらに、第4のマッピング関係は、前のスケジューリングキャリアの番号に対応する第4のコードおよび次のスケジューリングキャリアの番号に対応する第5のコードを示すために使用され、
プロセッサ91は、前のスケジューリングキャリアの番号および第4のマッピング関係に従って第4のコードを取得し、次のスケジューリングキャリアの番号および第4のマッピング関係に従って第5のコードを取得し、第4のコードと第5のコードとを組み合わせてCAIフィールドを生成するように特に構成される。
【０２７１】
本発明の本実施形態では、さらに、第4のマッピング関係が、前のスケジューリングキャリアの番号および次のスケジューリングキャリアの番号に対してジョイントコーディングを実行した結果として取得される第6のコードを示すために使用され、第6のコードのビット量は、第4のコードのビット量と第5のコードのビット量との合計よりも少なく、
プロセッサ91は、前のスケジューリングキャリアの番号、次のスケジューリングキャリアの番号、および第4のマッピング関係に従って第6のコードを取得し、第6のコードをCAIフィールドとして使用するように特に構成される。
【０２７２】
本発明の本実施形態では、さらに、CAIフィールドが、第4のコードおよび第5のコードに従って生成される場合、CAIフィールドのビット量は、
【数１１２】
2019169959.tif 000121
である。
【０２７３】
第4のコードは、CAIフィールドの最初の
【数１１３】
2019169959.tif 000122
ビットに配置され、第5のコードは、CAIフィールドの最後の
【数１１４】
2019169959.tif 000123
ビットに配置されるか、または、第4のコードは、CAIフィールドの最後の
【数１１５】
2019169959.tif 000124
ビットに配置され、第5のコードは、CAIフィールドの
【数１１６】
2019169959.tif 000125
ビットに配置される。
【０２７４】
本発明の本実施形態では、さらに、第6のコードが、CAIフィールドとして使用される場合、CAIフィールドのビット量は、
【数１１７】
2019169959.tif 000126
であってもよい。第6のコードの具体的な符号化方式については、以上の明細書で図9に関して説明した、本発明の実施態様を参照されたい。
【０２７５】
本発明の本実施形態の基地局の機能モジュールの具体的な動作プロセスについては、方法の実施形態の対応するプロセスの具体的な説明を参照することとし、本発明の本実施形態では、詳細は再び説明しないことに留意されたい。
【０２７６】
本発明の本実施形態で提供される基地局によれば、基地局によって構成されたすべての構成キャリアのスケジューリングステータスに従って現在のスケジューリングキャリアのCAIフィールドを生成した後に、基地局は、生成したCAIフィールドをDCIに追加し、現在のスケジューリングキャリアを用いてDCIをUEに送信する。本発明では、基地局によってUEに送信され、キャリアスケジューリング指示を実行するために使用されるCAIフィールドは、すべてのスケジューリングキャリアの総量および現在のスケジューリングキャリアの累積指標値を示すか、または、現在のスケジューリングキャリアの前のスケジューリングキャリアの番号および現在のスケジューリングキャリアの次のスケジューリングキャリアの番号を示し、つまり、本発明のCAIフィールドは、スケジューリングキャリアのスケジューリング情報を示す。しかしながら、従来技術では、基地局によってUEに送信され、キャリアスケジューリング指示を実行するために使用されるDAI2フィールドは、現在のスケジューリングキャリアとは異なるすべての構成キャリアに関して各構成キャリアのスケジューリングステータスを示す。基地局のスケジューリングキャリアの総量は、基地局の構成キャリアの総量以下である。したがって、従来技術と比較して、基地局が、比較的大量のキャリアを構成する場合、本発明の実施形態で提供される方法に従って基地局により生成されるCAIフィールドは、比較的少量のビットを含む。このようにして、DCIフィールドの長さは短くなり、シグナリングオーバーヘッドは低減される。
【０２７７】
本発明の別の実施形態は、UEを提供する。図11に示すように、UEは、受信器1001およびプロセッサ1002を含んでもよい。
【０２７８】
受信器1001は、少なくとも1つの現在のスケジューリングキャリアを用いて基地局によって送信された、キャリア割当指示CAIフィールドを運ぶダウンリンク制御情報DCIを受信するように構成される。
【０２７９】
CAIフィールドは、基地局によって構成されたすべての構成キャリア中のスケジューリングキャリアの総量および現在のスケジューリングキャリアの累積指標値Mを示すために使用され、Mは、現在のスケジューリングキャリアが、最初の構成キャリアから現在のスケジューリングキャリアまででM番目のスケジューリングキャリアであることを示すか、または、CAIフィールドは、現在のスケジューリングキャリアの前のスケジューリングキャリアの番号および現在のスケジューリングキャリアの次のスケジューリングキャリアの番号を示すために使用される。
【０２８０】
プロセッサ1002は、受信器1001によって受信されたDCI内のCAIフィールドを取得して、すべての構成キャリアのスケジューリングステータスを学習するように構成される。
【０２８１】
本発明の本実施形態では、さらに、UEは、送信器1003をさらに含んでもよい。
【０２８２】
送信器1003は、プロセッサ1002がDCI内のCAIフィールドを取得した後に、ハイブリッド自動再送要求HARQ情報を基地局に送信するように構成される。
【０２８３】
HARQ情報は、すべてのスケジューリングキャリアを用いて基地局によって送信されたデータをUEが正しく受信したかどうかをフィードバックするために使用され、HARQ情報のビット量は、すべてのスケジューリングキャリアを用いて送信されたデータが正しく受信されたかどうかをフィードバックするために必要なビット量の合計に等しい。
【０２８４】
本発明の本実施形態では、さらに、CAIフィールドが、基地局によって構成されたすべての構成キャリア中のスケジューリングキャリアの総量および現在のスケジューリングキャリアの累積指標値Mを示すために使用される場合、
可能な実施態様では、CAIフィールドは、第1のコードおよび第2のコードを含み、第1のコードは、スケジューリングキャリアの総量および第1の予め設定されたマッピング関係に従って基地局によって取得されるコードであり、第1のマッピング関係は、スケジューリングキャリアの総量に対応する第1のコードを示すために使用され、第2のコードは、Mおよび第2の予め設定されたマッピング関係に従って基地局によって取得されるコードであり、第2のマッピング関係は、Mに対応する第2のコードを示すために使用されるか、または
第2の可能な実施態様では、CAIフィールドは、第1のコードおよび第3のコードを含み、第3のコードは、Mおよび第3の予め設定されたマッピング関係に従って基地局によって取得されるコードであり、第3のマッピング関係は、Mに対応する第3のコードを示すために使用され、第3のコードのビット量は、第2のコードのビット量よりも少ない。
【０２８５】
本発明の本実施形態では、さらに、CAIフィールドが、現在のスケジューリングキャリアの前のスケジューリングキャリアの番号および現在のスケジューリングキャリアの次のスケジューリングキャリアの番号を示すために使用される場合、
可能な実施態様では、CAIフィールドは、第4のコードおよび第5のコードを含み、第4のコードは、前のスケジューリングキャリアの番号および第4の予め設定されたマッピング関係に従って基地局によって取得されるコードであり、第5のコードは、次のスケジューリングキャリアの番号および第4のマッピング関係に従って基地局によって取得されるコードであり、第4のマッピング関係は、前のスケジューリングキャリアの番号に対応する第4のコードおよび次のスケジューリングキャリアの番号に対応する第5のコードを示すために使用されるか、または
別の可能な実施態様では、CAIフィールドは、第6のコードであり、第6のコードは、前のスケジューリングキャリアの番号、次のスケジューリングキャリアの番号、および第4の予め設定されたマッピング関係に従って基地局によって取得されるコードであり、第4のマッピング関係は、前のスケジューリングキャリアの番号および次のスケジューリングキャリアの番号に対してジョイントコーディングを実行した結果として取得される第6のコードを示すために使用される。
【０２８６】
本発明の本実施形態では、さらに、プロセッサ1002は、CAIフィールドに従って、スケジューリングキャリアの総量および少なくとも1つの現在のスケジューリングキャリアの累積指標値Mを求めるようにさらに構成され、
送信器1003は、プロセッサ1002によって求められたスケジューリングキャリアの総量および少なくとも1つの現在のスケジューリングキャリアの累積指標値Mに従ってHARQ情報を基地局に送信するように特に構成される。
【０２８７】
本発明の本実施形態では、さらに、プロセッサ1002は、CAIフィールドに従って、少なくとも1つの現在のスケジューリングキャリアの前のスケジューリングキャリアの番号および少なくとも1つの現在のスケジューリングキャリアの次のスケジューリングキャリアの番号を求め、少なくとも1つの現在のスケジューリングキャリアの前のスケジューリングキャリアの番号および少なくとも1つの現在のスケジューリングキャリアの次のスケジューリングキャリアの番号に従って、スケジューリングキャリアの総量を求めるようにさらに構成され、
送信器1003は、プロセッサ1002によって求められたスケジューリングキャリアの総量、少なくとも1つの現在のスケジューリングキャリアの前のスケジューリングキャリアの番号、および少なくとも1つの現在のスケジューリングキャリアの次のスケジューリングキャリアの番号に従って、HARQ情報を基地局に送信するように特に構成される。
【０２８８】
本発明の本実施形態では、さらに、CAIフィールドが、第1のコードおよび第2のコードを含む場合、
プロセッサ1002は、CAIフィールドに関して、第1のマッピング関係および第1のコードに従ってスケジューリングキャリアの総量を取得し、第2のマッピング関係および第2のコードに従ってMを取得するように特に構成される。
【０２８９】
本発明の本実施形態では、さらに、CAIフィールドが、第1のコードおよび第3のコードを含む場合、
プロセッサ1002は、CAIフィールドに関して、第1のマッピング関係および第1のコードに従ってスケジューリングキャリアの総量を取得し、第3のマッピング関係および第3のコードに従ってMを取得するように特に構成される。
【０２９０】
本発明の本実施形態では、さらに、CAIフィールドが、第4のコードおよび第5のコードを含む場合、
プロセッサ1002は、CAIフィールドに関して、第4のコードおよび第4のマッピング関係に従って前のスケジューリングキャリアの番号を取得し、第5のコードおよび第4のマッピング関係に従って次のスケジューリングキャリアの番号を取得するように特に構成される。
【０２９１】
本発明の本実施形態では、さらに、CAIフィールドが、第6のコードである場合、
プロセッサ1002は、CAIフィールドに関して、第6のコードおよび第4のマッピング関係に従って前のスケジューリングキャリアの番号および次のスケジューリングキャリアの番号を取得するように特に構成される。
【０２９２】
本発明の本実施形態のUEの機能モジュールの具体的な動作プロセスについては、方法の実施形態の対応するプロセスの具体的な説明を参照することとし、本発明の本実施形態では、詳細は再び説明しないことに留意されたい。
【０２９３】
本発明の本実施形態で提供されるUEによれば、UEは、少なくとも1つの現在のスケジューリングキャリアを用いて基地局によって送信された、CAIフィールドを運ぶDCIを受信し、DCI内のCAIフィールドを取得して、すべての構成キャリアのスケジューリングステータスを学習する。本発明では、UEによって受信されるCAIフィールドは、基地局によって構成されたすべての構成キャリア中のスケジューリングキャリアの総量および現在のスケジューリングキャリアの累積指標値を示すか、または、現在のスケジューリングキャリアの前のスケジューリングキャリアの番号および現在のスケジューリングキャリアの次のスケジューリングキャリアの番号を示し、つまり、本発明のCAIフィールドは、スケジューリングキャリアのスケジューリング情報を示す。しかしながら、従来技術では、基地局によってUEに送信され、キャリアスケジューリング指示を実行するために使用されるDAI2フィールドは、現在のスケジューリングキャリアとは異なるすべての構成キャリアに関して各構成キャリアのスケジューリングステータスを示す。基地局のスケジューリングキャリアの総量は、基地局の構成キャリアの総量以下である。したがって、従来技術と比較して、基地局が、比較的大量のキャリアを構成する場合、本発明の実施形態で提供される方法に従って基地局により生成されるCAIフィールドは、比較的少量のビットを含む。このようにして、DCIフィールドの長さは短くなり、シグナリングオーバーヘッドは低減される。
【０２９４】
さらに、本発明の本実施形態で提供されるキャリアスケジューリング指示に基づいて、UEは、基地局のスケジューリングキャリアの総量に従って、基地局に送信されるHARQ情報のビット量を決定することができる。基地局のスケジューリングキャリアの総量は、基地局の構成キャリアの総量以下である。したがって、すべての構成キャリアの総量に従って、基地局に送信されるHARQ情報のビット量をUEが決定する従来技術と比較して、本発明では、HARQ情報のビット量が低減され、シグナリングオーバーヘッドが低減される。
【０２９５】
前述の実施態様の説明によれば、好適かつ簡単な説明のために、前述の機能モジュールの分割のみが説明のための例として使用されていることは、当業者によって明瞭に理解され得る。実際の適用では、前述の機能は、必要に応じて実施のために異なる機能モジュールに割り当てられ、つまり、装置の内部構造は、上述した機能の全部または一部を実施するために異なる機能モジュールに分割される。前述の装置の具体的な動作プロセスについては、前述の方法の実施形態の対応するプロセスを参照することとし、ここでは詳細は再び説明しない。
【０２９６】
本出願で提供されたいくつかの実施形態において、開示された装置および方法が他の方法で実施され得ることを理解されたい。例えば、説明した装置の実施形態は一例に過ぎない。例えば、モジュールまたはユニットの分割は、論理的な機能の分割に過ぎず、実際の実施では他の分割であってもよい。例えば、複数のユニットまたはコンポーネントは、別の装置として組み合わされるか、もしくは統合されてもよいし、一部の機能は、無視されるか、もしくは実行されなくてもよい。さらに、表示または議論された相互結合または直接結合または通信接続は、いくつかのインタフェースを介して実施されてもよい。装置またはユニット間の間接結合または通信接続は、電気的な、機械的な、または他の形態で実施されてもよい。
【０２９７】
別々の部分として記載されているユニットは、物理的に別々であってもなくてもよく、ユニットとして表示されている部分は、1つ以上の物理的なユニットであってもよく、つまり、このような部分は、1つの場所に配置されてもよいし、複数の異なる場所に分散されてもよい。ユニットの一部または全部は、実施形態の解決策の目的を達成するために実際の必要に応じて選択されてもよい。
【０２９８】
さらに、本発明の実施形態における機能ユニットは、1つの処理ユニットに統合されてもよいし、これらのユニットのそれぞれは、物理的に単独で存在してもよいし、2つ以上のユニットが、1つのユニットに統合される。統合ユニットは、ハードウェアの形態で実施されてもよいし、ソフトウェア機能ユニットの形態で実施されてもよい。
【０２９９】
統合ユニットが、ソフトウェア機能ユニットの形態で実施され、独立した製品として販売または使用される場合、統合ユニットは、コンピュータ可読記憶媒体に記憶されてもよい。そのような理解に基づいて、本質的に、本発明の技術的解決策、または従来技術に寄与する部分、または技術的解決策の全部もしくは一部は、ソフトウェア製品の形態で実施されてもよい。ソフトウェア製品は、記憶媒体に記憶され、デバイス（シングル・チップ・マイクロコンピュータもしくはチップなどであってもよい）またはプロセッサ（processor）に、本発明の実施形態で説明した方法のステップの全部または一部を実行するよう命令するためのいくつかの命令を含む。前述の記憶媒体は、プログラムコードを記憶し得る任意の媒体（USBフラッシュドライブ、リムーバブル・ハード・ディスク、読み出し専用メモリ（Read−Only Memory、略してROM）、ランダム・アクセス・メモリ（Random Access Memory、略してRAM）、磁気ディスク、または光ディスクなど）を含む。
【０３００】
前述の説明は、本発明の特定の実施形態に過ぎず、本発明の保護範囲を限定するためのものではない。本発明で開示された技術的範囲内で当業者により容易に想到される変形例または置換例は、本発明の保護範囲内に入るものとする。したがって、本発明の保護範囲は、特許請求の範囲の保護範囲に従うものとする。
【符号の説明】
【０３０１】
11、22  処理ユニット
12、23  送信ユニット
21  受信ユニット
91、1002  プロセッサ
92、1003  送信器
1001  受信器
【図１】
2019169959.tif 000147
【図２】
2019169959.tif 000148
【図３】
2019169959.tif 000149
【図４】
2019169959.tif 000150
【図５】
2019169959.tif 000151
【図６】
2019169959.tif 000152
【図７】
2019169959.tif 000153
【図８】
2019169959.tif 000154
【図９】
2019169959.tif 000155
【図１０】
2019169959.tif 000156
【図１１】
2019169959.tif 000157
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
キャリアスケジューリング指示方法であって、
端末によって、基地局からダウンリンク制御情報（DCI）を受信するステップと、
前記端末によって、前記DCI内のキャリア割当指示フィールドを取得するステップであって、前記キャリア割当指示フィールドが、前記端末のためのすべての構成キャリア中のスケジュールされたキャリアの総数、および、現在のスケジュールされたキャリアの累積数Mを示すために使用され、前記現在のスケジュールされたキャリアが、最初の構成キャリアからM番目のスケジュールされたキャリアであり、Mが１より大きなもしくは等しい整数である、ステップと、
を備えた方法。
【請求項２】
前記全ての構成キャリアがそれぞれ昇順であるインデクスに関連付けられた、請求項１に記載の方法。
【請求項３】
前記キャリア割当指示フィールドがスケジュールされたキャリアの総数を表す第１のコードと、前記現在のスケジュールされたキャリアの累積数Mを表す第２のコードとを備えた、請求項１または２に記載の方法。
【請求項４】
前記端末によって、前記第１のコードと、前記スケジュールされたキャリアの総数と第１のコードとの間の第１のマッピング関係に従って前記スケジュールされたキャリアの総数を、そして、前記第２のコードと、Ｍと前記第２のコードとの間の第２のマッピング関係に従ってＭを、決定するステップと、
前記端末によって、前記スケジュールされたキャリアの総数とＭに従ってハイブリッド自動再送要求（HARQ）情報を前置基地局へ送信するステップと、
を更に備えた、請求項３に記載の方法。
【請求項５】
Ｍと前記第２のコードとの間の第２のマッピング関係が、
Ｍが、1、5、9、または13のときに、前記第２のコードが00であり、
Ｍが、2、6、10、または14のときに、前記第２のコードが01であり、
Ｍが、3、7、11、または15のときに、前記第２のコードが10であり、
Ｍが、4、8、12、または16のときに、前記第２のコードが11である、
ことを含む、請求項３または４に記載の方法。
【請求項６】
Ｍと前記第２のコードとの間の第２のマッピング関係が、
【数１】
2019169959.tif 000158
が２より大きい場合に適合するもので、Ｎが前記全ての構成キャリアの数である、
請求項５に記載の方法。
【請求項７】
前記ＤＣＩが現在のスケジュールされたキャリアで運ばれる、請求項１から６のいずれか１項に記載の方法。
【請求項８】
キャリアスケジューリング指示方法であって、
基地局によって、ダウンリンク制御情報（DCI）を生成するステップであって、端末のためのすべての構成キャリア中のスケジュールされたキャリアの総数、および、現在のスケジュールされたキャリアの累積数Mを示すために使用されるキャリア割当指示フィールドを前記DCIが運び、前記現在のスケジュールされたキャリアが、最初の構成キャリアからM番目のスケジュールされたキャリアであり、Mが１より大きなもしくは等しい整数である、ステップと、
前記基地局によって、前記DCIを前記端末へ送信するステップと、
を備えた方法。
【請求項９】
前記全ての構成キャリアがそれぞれ昇順であるインデクスに関連付けられた、請求項8に記載の方法。
【請求項１０】
前記キャリア割当指示フィールドがスケジュールされたキャリアの総数を表す第１のコードと、前記現在のスケジュールされたキャリアの累積数Mを表す第２のコードとを備えた、請求項8または９に記載の方法。
【請求項１１】
前記基地局によって、前記スケジュールされたキャリアの総数とＭに従ってハイブリッド自動再送要求（HARQ）情報を前記端末から受信するステップを更に備えた、請求項10に記載の方法。
【請求項１２】
Ｍと前記第２のコードとの間の第２のマッピング関係が、
Ｍが、1、5、9、または13のときに、前記第２のコードが00であり、
Ｍが、2、6、10、または14のときに、前記第２のコードが01であり、
Ｍが、3、7、11、または15のときに、前記第２のコードが10であり、
Ｍが、4、8、12、または16のときに、前記第２のコードが11である、
ことを含む、請求項10または11に記載の方法。
【請求項１３】
Ｍと前記第２のコードとの間の第２のマッピング関係が、
【数２】
2019169959.tif 000159
が２より大きい場合に適合するもので、Ｎが前記全ての構成キャリアの数である、
請求項12に記載の方法。
【請求項１４】
前記ＤＣＩが現在のスケジュールされたキャリアで運ばれる、請求項8から13のいずれか１項に記載の方法。
【請求項１５】
キャリアスケジューリング指示方法であって、
基地局からダウンリンク制御情報（DCI）を受信するための手段と、
前記DCI内のキャリア割当指示フィールドを取得するための手段であって、前記キャリア割当指示フィールドが、端末のためのすべての構成キャリア中のスケジュールされたキャリアの総数、および、現在のスケジュールされたキャリアの累積数Mを示すために使用され、前記現在のスケジュールされたキャリアが、最初の構成キャリアからM番目のスケジュールされたキャリアであり、Mが１より大きなもしくは等しい整数である、手段と、
を備えた装置。
【請求項１６】
前記全ての構成キャリアがそれぞれ昇順であるインデクスに関連付けられた、請求項15に記載の装置。
【請求項１７】
前記キャリア割当指示フィールドがスケジュールされたキャリアの総数を表す第１のコードと、前記現在のスケジュールされたキャリアの累積数Mを表す第２のコードとを備えた、請求項15または16に記載の装置。
【請求項１８】
前記第１のコードと、前記スケジュールされたキャリアの総数と第１のコードとの間の第１のマッピング関係に従って前記スケジュールされたキャリアの総数を、そして、前記第２のコードと、Ｍと前記第２のコードとの間の第２のマッピング関係に従ってＭを、決定するための手段と、
前記スケジュールされたキャリアの総数とＭに従ってハイブリッド自動再送要求（HARQ）情報を前置基地局へ送信するための手段と、
を更に備えた、請求項17に記載の装置。
【請求項１９】
Ｍと前記第２のコードとの間の第２のマッピング関係が、
Ｍが、1、5、9、または13のときに、前記第２のコードが00であり、
Ｍが、2、6、10、または14のときに、前記第２のコードが01であり、
Ｍが、3、7、11、または15のときに、前記第２のコードが10であり、
Ｍが、4、8、12、または16のときに、前記第２のコードが11である、
ことを含む、請求項17または18に記載の装置。
【請求項２０】
Ｍと前記第２のコードとの間の第２のマッピング関係が、
【数３】
2019169959.tif 000160
が２より大きい場合に適合するもので、Ｎが前記全ての構成キャリアの数である、
請求項19に記載の装置。
【請求項２１】
前記ＤＣＩが現在のスケジュールされたキャリアで運ばれる、請求項15から20のいずれか１項に記載の装置。
【請求項２２】
前記装置が前記端末である、請求項15から21のいずれか１項に記載の装置。
【請求項２３】
ダウンリンク制御情報（DCI）を生成するための手段であって、端末のためのすべての構成キャリア中のスケジュールされたキャリアの総数、および、現在のスケジュールされたキャリアの累積数Mを示すために使用されるキャリア割当指示フィールドを前記DCIが運び、前記現在のスケジュールされたキャリアが、最初の構成キャリアからM番目のスケジュールされたキャリアであり、Mが１より大きなもしくは等しい整数である、手段と、
前記DCIを前記端末へ送信するための手段と、
を備えた装置。
【請求項２４】
前記全ての構成キャリアがそれぞれ昇順であるインデクスに関連付けられた、請求項23に記載の装置。
【請求項２５】
前記キャリア割当指示フィールドがスケジュールされたキャリアの総数を表す第１のコードと、前記現在のスケジュールされたキャリアの累積数Mを表す第２のコードとを備えた、請求項23または24に記載の装置。
【請求項２６】
前記スケジュールされたキャリアの総数とＭに従ってハイブリッド自動再送要求（HARQ）情報を前記端末から受信するための手段を更に備えた、請求項25に記載の装置。
【請求項２７】
Ｍと前記第２のコードとの間の第２のマッピング関係が、
Ｍが、1、5、9、または13のときに、前記第２のコードが00であり、
Ｍが、2、6、10、または14のときに、前記第２のコードが01であり、
Ｍが、3、7、11、または15のときに、前記第２のコードが10であり、
Ｍが、4、8、12、または16のときに、前記第２のコードが11である、
ことを含む、請求項25または26に記載の装置。
【請求項２８】
Ｍと前記第２のコードとの間の第２のマッピング関係が、
【数４】
2019169959.tif 000161
が２より大きい場合に適合するもので、Ｎが前記全ての構成キャリアの数である、
請求項27に記載の装置。
【請求項２９】
前記ＤＣＩが現在のスケジュールされたキャリアで運ばれる、請求項23から28のいずれか１項に記載の装置。
【請求項３０】
前記装置が基地局である、請求項23から29のいずれか１項に記載の装置。
【請求項３１】
命令を格納したメモリと、
前記メモリに接続され、請求項1から7のいずれか１項の方法を実行するために前記命令を実行するプロセッサと、
を備えた装置。
【請求項３２】
命令を格納したメモリと、
前記メモリに接続され、請求項8から14のいずれか１項の方法を実行するために前記命令を実行するプロセッサと、
を備えた装置。
【請求項３３】
プログラムを記録したコンピュータ読み出し可能な格納媒体であって、前記プログラムが請求項1から14のいずれか１項の方法をコンピュータに実行させるものである、コンピュータ読み出し可能な格納媒体。
【外国語明細書】
2019169959000001.pdf